(57)【要約】      （修正有）【課題】一対の第１搬送ガイドを搬送路接続位置から的確に待避させる。【解決手段】一対の第１搬送ガイド３６，３７を搬送方向と平行な回動軸を中心にして、一対の第２搬送ガイド４６，４７の一端部に一対の第１搬送ガイドの一端部を嵌合させて第２搬送路２９Ａに第１搬送路２８Ａを接続する搬送路接続位置から待避位置までの範囲で回動可能に設け、待避位置側の他方の第１搬送ガイド３７の一端部を一方の第１搬送ガイド３６の一端部よりも一対の第２搬送ガイド側へずらして位置させ、待避位置側の他方の第２搬送ガイド４７の一端部よりも一方の第２搬送ガイド４６の一端部を一対の第１搬送ガイド側へずらして位置させることにより、一対の第１搬送ガイドを搬送路接続位置から回転させても、他方の第２搬送ガイドに一方の第１搬送ガイドが引っ掛かることを回避でき、一対の第１搬送ガイドを搬送路接続位置から的確に待避させる。【選択図】図１０
2014102593.tif 000002
【特許請求の範囲】
【請求項１】
それぞれ一端部が複数の凸部を所定の間隔で設けるようにして櫛歯状に形成され、紙葉類を所定の搬送方向へ搬送するための第１搬送路を形成する一対の第１搬送ガイドと、
それぞれ一端部が複数の凸部を所定の間隔で設けるようにして櫛歯状に形成され、上記紙葉類を上記搬送方向へ搬送するための第２搬送路を形成する一対の第２搬送ガイドと
を具え、
一対の上記第１搬送ガイドは、
上記搬送方向と平行な上記回動軸を中心にして、一方の上記第２搬送ガイドの上記一端部に一方の上記第１搬送ガイドの上記一端部を嵌合させ、かつ他方の上記第２搬送ガイドの上記一端部に他方の上記第１搬送ガイドの上記一端部を嵌合させて上記第２搬送路に上記第１搬送路を接続する搬送路接続位置から、当該搬送路接続位置から待避するための待避位置までの範囲で回動可能に設けられ、当該待避位置側の他方の上記第１搬送ガイドの上記一端部を、一方の上記第１搬送ガイドの上記一端部よりも一対の上記第２搬送ガイド側へずらして位置させ、
一対の上記第２搬送ガイドは、
上記待避位置側の他方の上記第２搬送ガイドの上記一端部よりも、一方の上記第２搬送ガイドの上記一端部を一対の上記第１搬送ガイド側へずらして位置させた
紙葉類搬送装置。
【請求項２】
一対の上記第１搬送ガイドは、
それぞれ一端部の上記複数の凸部の幅、及び当該複数の凸部の上記間隔が、上記回動軸から上記複数の凸部までの距離に応じて選定され、
一対の上記第２搬送ガイドは、
それぞれ一端部の上記複数の凸部の幅、及び当該複数の凸部の上記間隔が、一対の上記第１搬送ガイドが上記回動軸を中心にして上記搬送路接続位置から上記待避位置へ回転する際に一対の上記第１搬送ガイドの上記複数の凸部が通る軌跡に応じて選定された
請求項１に記載の紙葉類搬送装置。
【請求項３】
上記待避位置側の他方の上記第２搬送ガイドは、
一端部の上記複数の凸部の少なくとも一部の凸部において、一対の上記第１搬送ガイドが上記回動軸を中心にして上記搬送路接続位置から上記待避位置へ回転する際に上記待避位置側の他方の上記第１搬送ガイドの上記複数の凸部が通る軌跡側の部分が切り欠かれた
請求項２に記載の紙葉類搬送装置。
【請求項４】
上記搬送路接続位置側の一方の上記第１搬送ガイドは、
一端部の上記複数の凸部の少なくとも一部の凸部において、一対の上記第１搬送ガイドが上記回動軸を中心にして上記搬送路接続位置から上記待避位置へ回転する際に上記搬送路接続位置側の一方の上記第２搬送ガイドの対応する上記複数の凸部側の部分が切り欠かれた
請求項３に記載の紙葉類搬送装置。
【請求項５】
他方の上記第１搬送ガイドは、
上記搬送方向と直交する方向と平行な第１回動軸を中心にして、上記一端部を他方の上記第２搬送ガイドの上記一端部と嵌合させる第１ガイド嵌合位置から、上記一端部を他方の上記第２搬送ガイドの上記一端部から当該第２搬送ガイドの外面側へ離隔させる第１ガイド離隔位置までの範囲で回動可能に設けられ、
一方の上記第２搬送ガイドは、
上記搬送方向と直交する方向と平行な第２回動軸を中心にして、上記一端部を一方の上記第１搬送ガイドの上記一端部と嵌合させる第２ガイド嵌合位置から、上記一端部を一方の上記第１搬送ガイドの上記一端部から当該第１搬送ガイドの外面側へ離隔させる第２ガイド離隔位置までの範囲で回動可能に設けられた
請求項１に記載の紙葉類搬送装置。
【請求項６】
他方の上記第１搬送ガイドを上記第１ガイド嵌合位置から上記第１ガイド離隔位置、及び上記第１ガイド離隔位置から上記第１ガイド嵌合位置へ回転させる第１回転部と、
一方の上記第２搬送ガイドを上記第２ガイド嵌合位置から上記第２ガイド離隔位置、及び上記第２ガイド離隔位置から上記第２ガイド嵌合位置へ回転させる第２回転部と
を具える請求項５に記載の紙葉類搬送装置。
【請求項７】
上記第１回転部は、
電力の供給に応じて他方の上記第１搬送ガイドを上記第１ガイド離隔位置から上記第１ガイド嵌合位置へ回転させ、上記電力の供給の停止に応じて他方の上記第１搬送ガイドを上記第１ガイド嵌合位置から上記第１ガイド離隔位置へ回転させるための第１ソレノイドを有し、
上記第２回転部は、
電力の供給に応じて一方の上記第２搬送ガイドを上記第２ガイド離隔位置から上記第２ガイド嵌合位置へ回転させ、上記電力の供給の停止に応じて一方の上記第２搬送ガイドを上記第２ガイド嵌合位置から上記第２ガイド離隔位置へ回転させる第２ソレノイドを有する
請求項６に記載の紙葉類搬送装置。
【請求項８】
それぞれ一端部が複数の凸部を所定の間隔で設けるようにして櫛歯状に形成され、取扱対象の紙葉類を所定の搬送方向へ搬送するための第１搬送路を形成する一対の第１搬送ガイドと、
それぞれ一端部が複数の凸部を所定の間隔で設けるようにして櫛歯状に形成され、上記紙葉類を上記搬送方向へ搬送するための第２搬送路を形成する一対の第２搬送ガイドと
を具え、
一対の上記第１搬送ガイドは、
上記搬送方向と平行な回動軸を中心にして、一方の上記第２搬送ガイドの上記一端部に一方の上記第１搬送ガイドの上記一端部を嵌合させ、かつ他方の上記第２搬送ガイドの上記一端部に他方の上記第１搬送ガイドの上記一端部を嵌合させて上記第２搬送路に上記第１搬送路を接続する搬送路接続位置から、当該搬送路接続位置から待避するための待避位置までの範囲で回動可能に設けられ、当該待避位置側の他方の上記第１搬送ガイドの上記一端部を、一方の上記第１搬送ガイドの上記一端部よりも一対の上記第２搬送ガイド側へずらして位置させ、
一対の上記第２搬送ガイドは、
上記待避位置側の他方の上記第２搬送ガイドの上記一端部よりも、一方の上記第２搬送ガイドの上記一端部を一対の上記第１搬送ガイド側へずらして位置させた
紙葉類取扱装置。
【発明の詳細な説明】
【技術分野】
【０００１】
本発明は紙葉類搬送装置及び紙葉類取扱装置に関し、例えば、現金としての紙幣の入金及び出金の取引を行う現金自動預払機（ATM：Automatic  Teller  Machine）に適用して好適なものである。
【背景技術】
【０００２】
従来、この種の現金自動預払機は、紙幣の入金処理及び出金処理を行う紙幣処理ユニットが収納され、当該紙幣処理ユニット内に複数の紙幣収納庫が設けられている。
【０００３】
そして現金自動預払機は、入金時、顧客により入金用の紙幣が紙幣入出金口に投入されると、その紙幣を紙幣処理ユニットにおいて紙幣受渡部で受け取り搬送路を介して複数の紙幣収納庫へ搬送して収納する。
【０００４】
また現金自動預払機は、出金時、顧客により出金の金額が指定されると、紙幣処理ユニットにおいて複数の紙幣収納庫から、その指定された金額分の紙幣を出金用として繰り出し搬送路を介して紙幣受渡部へ搬送して顧客に引き渡す。
【０００５】
このようにして従来の現金自動預払機は、紙幣処理ユニットにおいて入金時に顧客から受け取った入金用の紙幣を複数の紙幣収納庫に収納し、出金時には当該複数の紙幣収納庫に収納していた、その入金用の紙幣を出金用の紙幣として利用していた。
【０００６】
ただし、現金自動預払機では、紙幣処理ユニットにより複数の紙幣収納庫に収納した入金用の紙幣だけを出金に利用するのでは、取引の実施状況により複数の紙幣収納庫において出金用の紙幣が不足し、また入金用の紙幣を収納しきれなくなるような紙幣の過不足が生じる可能性がある。
【０００７】
このため従来、この種の現金自動預払機に収納される紙幣処理ユニットとしては、図２２に示すように構成された紙幣処理装置２００がある。
【０００８】
図２２に示すように、紙幣処理装置２００内には、前下端部に、入出金用の複数の紙幣を金種別に収納する（すなわち、特定の１金種の紙幣のみを収納する）複数の紙幣収納庫２０１乃至２０３が前側から後側へ順に並べて配置されている。
【０００９】
また紙幣処理装置２００内には、後端部に、補充回収用の複数の紙幣を収納する紙幣収納庫（以下、これを特に補充回収庫とも呼ぶ）２０４が着脱可能に装着されると共に、当該装着された補充回収庫２０４と複数の紙幣収納庫２０１乃至２０３との間に、紙幣を搬送するための搬送路２０５が形成されている。
【００１０】
そして紙幣処理装置２００は、補充用の複数の紙幣が装填された補充回収庫２０４が装着されると、当該補充回収庫２０４から複数の紙幣を繰り出し搬送路２０５を介して複数の紙幣収納庫２０１乃至２０３へ搬送して収納する。
【００１１】
また紙幣処理装置２００は、補充回収庫２０４が装着された状態では、任意のタイミングで複数の紙幣収納庫２０１乃至２０３から複数の紙幣を回収用として繰り出し搬送路２０５を介して補充回収庫２０４へ搬送して収納する。
【００１２】
このようにして現金自動預払機において紙幣処理装置２００は、着脱可能な補充回収庫２０４を利用して複数の紙幣収納庫２０１乃至２０３に収納する紙幣の枚数を調整して、複数の紙幣収納庫２０１乃至２０３において紙幣の過不足が生じることを回避していた（例えば、特許文献１参照）。
【００１３】
また従来、この種の現金自動預払機に収納される紙幣処理ユニットとしては、図２３に示すように構成された紙幣入出金機２１０もある。
【００１４】
図２３に示すように、紙幣入出金機２１０内には、下端部に、複数の紙幣収納庫２１１乃至２１５が前側から後側へ順に並べるようにして着脱可能に装着される略箱型の収納庫装着フレーム２１６が引出及び収納可能に設けられている。
【００１５】
この場合、図２４に示すように、収納庫装着フレーム２１６は、上端に開口部が形成され、当該上端に紙幣を前後方向へ搬送するための搬送路を形成する搬送部２１７が、上端右縁部のヒンジ部２１８、２１９を介して一回転方向、及びこれとは逆の他回転方向へ回動可能に設けられている。
【００１６】
すなわち、収納庫装着フレーム２１６は、上端に搬送部２１７が、紙幣の搬送方向と平行で、かつ当該搬送部２１７の下面の右縁部と対向するヒンジ部２１８、２１９の回動軸を中心にして一回転方向、及びこれとは逆の他回転方向へ回動可能に設けられている。
【００１７】
これにより収納庫装着フレーム２１６は、搬送部２１７が一回転方向へ回転して当該搬送部２１７の下面を下側に向けて開口部と対向させた場合、搬送路を複数の紙幣収納庫２１１乃至２１５に接続することができる。
【００１８】
また収納庫装着フレーム２１６は、搬送部２１７が他回転方向へ回転した場合、搬送路を複数の紙幣収納庫２１１乃至２１５から切り離して、当該搬送部２１７を、その下面を左側に向けるようにして開口部の脇へ待避させることができる。
【００１９】
よって紙幣入出金機２１０は、複数の紙幣収納庫２１１乃至２１５が装着されている収納庫装着フレーム２１６を引き出させた後、搬送部２１７を他回転方向へ回転させて開口部の脇へ待避させたうえで、当該収納庫装着フレーム２１６から複数の紙幣収納庫２１１乃至２１５を引き抜かせることができる。
【００２０】
また紙幣入出金機２１０は、収納庫装着フレーム２１６に、それぞれ紙幣が適量装填された複数の紙幣収納庫を装着させた後、搬送部２１７を一回転方向へ回転させて下面を開口部と対向させたうえで、収納庫装着フレーム２１６を押し込むようにして収納させることができる。
【００２１】
このようにして現金自動預払機において紙幣入出金機２１０は、例えば、収納庫装着フレーム２１６に装着する複数の紙幣収納庫２１１乃至２１５を適宜交換させて、これら複数の紙幣収納庫２１１乃至２１５において紙幣の過不足が生じることを回避していた（例えば、特許文献２参照）。
【先行技術文献】
【特許文献】
【００２２】
【特許文献１】特開２００７−２１９７５１公報（第３頁、第４頁、図４）
【特許文献２】特開２０１１−１１８６９９公報（第５頁、第６頁、図１、図２）
【発明の概要】
【発明が解決しようとする課題】
【００２３】
ところで現金自動預払機では、紙幣処理ユニットに補充回収庫及び複数の紙幣収納庫の両方を着脱可能に設けるようにすれば、当該現金自動預払機の設置環境や運用形態等に応じて、紙幣の過不足の回避用に着脱させる補充回収庫及び複数の紙幣収納庫を自由に選択させることができ、利便性が向上すると考えられる。
【００２４】
すなわち、現金自動預払機では、紙幣処理ユニットに、上端の開口部を介して複数の紙幣収納庫が着脱可能に装着される収納庫装着フレーム（以下、これを第１装着フレームとも呼ぶ）を引出及び収納可能に設ける。
【００２５】
また現金自動預払機では、紙幣処理ユニットにおいて第１装着フレームの上端に、紙幣を例えば、前後方向へ搬送するための搬送路（以下、これを第１搬送路とも呼ぶ）を形成する搬送部（以下、これを第１搬送部とも呼ぶ）を、上端右縁部のヒンジ部を介して、当該ヒンジ部の前後方向（すなわち、搬送方向）と平行な回動軸を中心にした一回転方向、及びこれとは逆の他回転方向へ回動可能に設ける。
【００２６】
そして現金自動預払機では、紙幣処理ユニットにおいて第１搬送部を一回転方向へ回転させて当該第１搬送部の下面を下側に向けるようにして収納庫装着フレームの開口部と対向させた場合、第１搬送路を複数の紙幣収納庫と接続する。
【００２７】
また現金自動預払機では、紙幣処理ユニットにおいて第１搬送部を他回転方向へ回転させた場合、第１搬送路を複数の紙幣収納庫から切り離して、当該第１搬送部を、その下面を左側に向けるようにして収納庫装着フレームの開口部の脇へ待避させる。
【００２８】
因みに、以下の説明では、第１搬送部を収納庫装着フレームの開口部の脇へ待避させるための他回転方向を、待避方向とも呼ぶ。
【００２９】
さらに現金自動預払機では、紙幣処理ユニットにおいて第１装着フレームの後側に、後端の開口部を介して補充回収庫が着脱可能に装着される収納庫装着フレーム（以下、これを第２装着フレームとも呼ぶ）を、その第１装着フレームと一体に引出及び収納可能に設ける。
【００３０】
さらにまた現金自動預払機では、第２装着フレームの前端（すなわち、第１装着フレーム側）に、搬送部（以下、これを第２搬送部とも呼ぶ）を設け、その第２搬送部が形成する搬送路（以下、これを第２搬送路とも呼ぶ）を補充回収庫と接続する。
【００３１】
そして現金自動預払機では、紙幣処理ユニットにおいて第１搬送部の下面を第１装着フレームの開口部と対向させた場合、第１搬送路の後端部を、第２搬送路の対向部分と接続して、第１搬送部と第２搬送部との間で紙幣を前後方向へ搬送して受渡可能にする。
【００３２】
因みに、以下の説明では、第１搬送路の後端部を第２搬送路の対向部分と接続するときの第１搬送部の位置を、搬送路接続位置とも呼ぶ。
【００３３】
このようにして現金自動預払機では、紙幣処理ユニットに補充回収庫及び複数の紙幣収納庫の両方を着脱可能に設けるようにすれば、当該紙幣処理ユニットにおいて着脱可能な補充回収庫を利用して複数の紙幣収納庫内の紙幣の枚数を調整し、また例えば、複数の紙幣収納庫を適宜交換させて紙幣の過不足を回避し得ると考えられる。
【００３４】
係る構成に加えて、図２５及び図２６に示すように、現金自動預払機では、第１搬送部２３０に、第１搬送路２３０Ａを形成するための一対の第１搬送ガイド２３１、２３２を、これらの後端の位置を揃えて一方を上側に位置させ、かつ他方を下側に位置させて設ける。
【００３５】
因みに、以下の説明では、第１搬送部２３０に設ける一対の第１搬送ガイド２３１、２３２のうち、上側に位置する一方の第１搬送ガイド２３１を、第１上搬送ガイド２３１とも呼び、下側に位置する他方の第１搬送ガイド２３２を、第１下搬送ガイド２３２とも呼ぶ。
【００３６】
また現金自動預払機では、第１搬送部２３０において、第１上搬送ガイド２３１の後端部及び第１下搬送ガイド２３２の後端部を、それぞれ複数の凸部２３１Ａ、２３２Ａを所定の間隔で設けるようにして櫛歯状に形成する。
【００３７】
さらに現金自動預払機では、第２搬送部２３５において、第１搬送部２３０の第１上搬送ガイド２３１及び第１下搬送ガイド２３２の後端部と対向する位置に、第２搬送路２３５Ａを形成するための一対の第２搬送ガイド２３６、２３７を、これらの前端の位置を揃えて一方を上側に位置させ、かつ他方を下側に位置させて設ける。
【００３８】
因みに、以下の説明では、第２搬送部２３５に設ける一対の第２搬送ガイド２３６、２３７のうち、上側に位置する一方の第２搬送ガイド２３６を、第２上搬送ガイド２３６とも呼び、下側に位置する他方の第２搬送ガイド２３７を、第２下搬送ガイド２３７とも呼ぶ。
【００３９】
さらにまた現金自動預払機では、第２搬送部２３５において、第２上搬送ガイド２３６の前端部及び第２下搬送ガイド２３７の前端部を、それぞれ複数の凸部２３６Ａ、２３７Ａを所定の間隔で設けるようにして櫛歯状に形成する。
【００４０】
そして現金自動預払機では、第１搬送部２３０が搬送路接続位置に位置している場合、第１上搬送ガイド２３１の後端部及び第１下搬送ガイド２３２の後端部と第２上搬送ガイド２３６の前端部及び第２下搬送ガイド２３７の前端部とを嵌合させて、第１搬送路２３０Ａと第２搬送路２３５Ａとを接続する。
【００４１】
このようにして現金自動預払機では、第１搬送路２３０Ａと第２搬送路２３５Ａとを接続すれば、第１搬送部２３０及び第２搬送部２３５により紙幣を、第１搬送路２３０Ａと第２搬送路２３５Ａとの接続部分で詰まらせることなく前後方向へ搬送することができると考えられる。
【００４２】
因みに、図２６は、第１搬送部２３０の第１搬送路２３０Ａと第２搬送部２３５の第２搬送路２３５Ａとの接続部分を、図２５にＡ−Ａ′で示す切断線に沿って切断した場合の断面で示している。
【００４３】
ところが、現金自動預払機では、第１搬送部２３０を搬送路接続位置から待避させる際、当該第１搬送部２３０を、その下面の右縁部と対向する搬送方向と平行な回動軸３４１を中心にして待避方向へ回転させるようにしている。
【００４４】
そして現金自動預払機では、第１搬送部２３０を、搬送方向と平行な回動軸３４１を中心にして待避方向へ回転させると、第１上搬送ガイド２３１の複数の凸部２３１Ａと第１下搬送ガイド２３２の複数の凸部２３２Ａとが異なる軌跡を通って移動することになる。
【００４５】
このため図２７に示すように、現金自動預払機では、第１搬送部２３０を待避方向へ回転させようとした場合、例えば、第２上搬送ガイド２３６の凸部２３６Ａに第１下搬送ガイド２３１の凸部２３１Ａが引っ掛かり、当該第１搬送部２３０を搬送路接続位置からは待避させ難いという問題があった。
【００４６】
本発明は以上の点を考慮してなされたもので、一対の第１搬送ガイドを搬送路接続位置から的確に待避させ得る紙葉類搬送装置及び紙葉類取扱装置を提案しようとするものである。
【課題を解決するための手段】
【００４７】
かかる課題を解決するため本発明においては、それぞれ一端部が複数の凸部を所定の間隔で設けるようにして櫛歯状に形成され、紙葉類を所定の搬送方向へ搬送するための第１搬送路を形成する一対の第１搬送ガイドと、それぞれ一端部が複数の凸部を所定の間隔で設けるようにして櫛歯状に形成され、紙葉類を当該搬送方向へ搬送するための第２搬送路を形成する一対の第２搬送ガイドとを設けるようにし、一対の第１搬送ガイドを搬送方向と平行な回動軸を中心にして、一方の第２搬送ガイドの一端部に一方の第１搬送ガイドの一端部を嵌合させ、かつ他方の第２搬送ガイドの一端部に他方の第１搬送ガイドの一端部を嵌合させて第２搬送路に第１搬送路を接続する搬送路接続位置から、当該搬送路接続位置から待避するための待避位置までの範囲で回動可能にし、待避位置側の他方の第１搬送ガイドの一端部を、一方の第１搬送ガイドの一端部よりも一対の第２搬送ガイド側へずらして位置させ、待避位置側の他方の第２搬送ガイドの一端部よりも、一方の第２搬送ガイドの一端部を一対の第１搬送ガイド側へずらして位置させるようにした。
【００４８】
従って本発明では、第２紙幣搬送路から第１紙幣搬送路を切り離すために一対の第１搬送ガイドを、搬送方向と平行な回動軸を中心にして搬送路接続位置から待避位置側へ回転させても、他方の第２搬送ガイドの複数の凸部に一方の第１搬送ガイドの複数の凸部が引っ掛かることを回避することができる。
【発明の効果】
【００４９】
本発明によれば、それぞれ一端部が複数の凸部を所定の間隔で設けるようにして櫛歯状に形成され、紙葉類を所定の搬送方向へ搬送するための第１搬送路を形成する一対の第１搬送ガイドと、それぞれ一端部が複数の凸部を所定の間隔で設けるようにして櫛歯状に形成され、紙葉類を当該搬送方向へ搬送するための第２搬送路を形成する一対の第２搬送ガイドとを設けるようにし、一対の第１搬送ガイドを搬送方向と平行な回動軸を中心にして、一方の第２搬送ガイドの一端部に一方の第１搬送ガイドの一端部を嵌合させ、かつ他方の第２搬送ガイドの一端部に他方の第１搬送ガイドの一端部を嵌合させて第２搬送路に第１搬送路を接続する搬送路接続位置から、当該搬送路接続位置から待避するための待避位置までの範囲で回動可能にし、待避位置側の他方の第１搬送ガイドの一端部を、一方の第１搬送ガイドの一端部よりも一対の第２搬送ガイド側へずらして位置させ、待避位置側の他方の第２搬送ガイドの一端部よりも、一方の第２搬送ガイドの一端部を一対の第１搬送ガイド側へずらして位置させるようにしたことにより、第２紙幣搬送路から第１紙幣搬送路を切り離すために一対の第１搬送ガイドを、搬送方向と平行な回動軸を中心にして搬送路接続位置から待避位置側へ回転させても、他方の第２搬送ガイドの複数の凸部に一方の第１搬送ガイドの複数の凸部が引っ掛かることを回避することができ、かくして一対の第１搬送ガイドを搬送路接続位置から的確に待避させ得る紙葉類搬送装置及び紙葉類取扱装置を実現することができる。
【図面の簡単な説明】
【００５０】
【図１】第１の実施の形態による現金自動預払機の外観構成を示す略線的斜視図である。
【図２】第１の実施の形態による現金自動預払機の内部構成を示す略線的側面図である。
【図３】第１装着フレームの構成を示す略線的断面図である。
【図４】第２装着フレームの構成を示す略線的正面図である。
【図５】預払機筐体に対する第１装着フレーム及び第２装着フレームの引出及び収納の説明に供する略線的側面図である。
【図６】預払機筐体から引き出した第２装着フレームの移動による第１紙幣搬送路及び第２紙幣搬送路の切離及び接続の説明に供する略線的側面図である。
【図７】第１搬送部の構成を示す略線的上面図である。
【図８】第２搬送部の構成を示す略線的上面図である。
【図９】第１上搬送ガイド及び第１下搬送ガイドと第２上搬送ガイド及び第２下搬送ガイドとの嵌合の説明に供する略線的上面図である。
【図１０】第１搬送部の待避方向への回転による第２紙幣搬送路からの第１紙幣搬送路の切り離しの説明に供する略線的側面図である。
【図１１】第２紙幣搬送路から第１紙幣搬送路を切り離すときの第１搬送部の待避方向への回転の説明に供する略線的断面図である。
【図１２】第２の実施の形態による現金自動預払機の内部構成を示す略線的側面図である。
【図１３】第１搬送部の構成（１）を示す略線的上面図である。
【図１４】第１搬送部の構成（２）を示す略線的側面図である。
【図１５】第２搬送部の構成（１）を示す略線的上面図である。
【図１６】第２搬送部の構成（２）を示す略線的側面図である。
【図１７】第１上搬送ガイド及び第１下搬送ガイドと第２上搬送ガイド及び第２下搬送ガイドとの嵌合の説明に供する略線的上面図である。
【図１８】第２紙幣搬送路からの第１紙幣搬送路の切り離しの説明に供する略線的側面図である。
【図１９】他の実施の形態による第１搬送部の構成を示す略線的上面図である。
【図２０】他の実施の形態による第２搬送部の構成を示す略線的上面図である。
【図２１】他の実施の形態による第１下搬送ガイド及び第２上搬送ガイドの凸部の形状を示す略線的断面図である。
【図２２】従来の紙幣処理装置の構成を示す略線的側面図である。
【図２３】従来の紙幣入出金機の構成を示す略線的側面図である。
【図２４】紙幣入出金機に引出及び収納可能に設けられた収納庫装着フレームの構成を示す略線的斜視図である。
【図２５】第１搬送路と第２搬送路との接続（１）の説明に供する略線的上面図である。
【図２６】第１搬送路と第２搬送路との接続（２）の説明に供する略線的断面図である。
【図２７】第１搬送部の待避の説明に供する略線的断面図である。
【発明を実施するための形態】
【００５１】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００５２】
（１）第１の実施の形態
（１−１）現金自動預払機の外観構成
図１において、１は全体として第１の実施の形態による現金自動預払機の外観構成を示す。かかる現金自動預払機１は、上前隅部が斜めに切り欠かれたような略箱型の筐体（以下、これを預払機筐体とも呼ぶ）２を有している。
【００５３】
因みに、以下の説明では、現金自動預払機１を、預払機筐体２の前面２Ａ（すなわち、斜めに切り欠かれた切欠部分よりも下側の面）と対峙して見た場合の図中に矢印ａ１で示す左の方向を、預払機左方向とも呼び、当該預払機左方向とは逆の方向を、預払機右方向とも呼ぶ。
【００５４】
そして、以下の説明では、預払機左方向及び預払機右方向を特に区別する必要がない場合、これらをまとめて預払機左右方向とも呼ぶ。
【００５５】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００５６】
そして、以下の説明では、預払機上方向及び預払機下方向を特に区別する必要がない場合、これらをまとめて預払機上下方向とも呼ぶ。
【００５７】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００５８】
そして、以下の説明では、預払機前方向及び預払機後方向を特に区別する必要がない場合、これらをまとめて預払機前後方向とも呼ぶ。
【００５９】
預払機筐体２は、前面２Ａの上側の切欠部分に、例えば、表面３Ａが前斜め上側をむくような傾斜板状の接客用のパネル（以下、これを接客パネルとも呼ぶ）３が設けられている。
【００６０】
接客パネル３の表面３Ａには、例えば、上端部に、種々の取引手順案内画像の表示及び表面へのタッチ操作が可能なタッチスクリーン４が配置されている。
【００６１】
また接客パネル３の表面３Ａには、例えば、下端部の中央に、長方形の紙幣を投入し、また取り出すための略長方形状の紙幣投入取出口３ＡＸが預払機左右方向と平行に形成されている。
【００６２】
因みに、預払機筐体２は、接客パネル３の下端部の中央の裏面に、紙幣投入取出口３ＡＸを開放及び閉塞するためのシャッタ５を有するシャッタ開閉部（図示せず）が配置されている。
【００６３】
さらに接客パネル３の表面３Ａには、例えば、中央部（すなわち、タッチスクリーン４と紙幣投入取出口３ＡＸとの間）の左寄りに、取引の際に通帳を挿入させ、また当該通帳を排出するための略長方形状の通帳挿入排出口３ＡＹが預払機左右方向と平行に形成されている。
【００６４】
さらにまた接客パネル３の表面３Ａには、例えば、中央部の右寄りに、取引の際にキャッシュカードやクレジットカード等のカードを挿入させ、また当該カードを排出するための略長方形状のカード挿入排出口３ＡＺが預払機左右方向と平行に形成されている。
【００６５】
これに加えて預払機筐体２は、例えば、後端部に、板状の扉６が図示しないヒンジ部を介して開閉可能に設けられている。
【００６６】
現金自動預払機１は、係る構成のもと、タッチスクリーン４に取引手順案内画像を表示すると共に、顧客によるタッチスクリーン４の表面へのタッチ操作に応じて、当該タッチスクリーン４に表示する取引手順案内画像を適宜切り換える。
【００６７】
そして現金自動預払機１は、タッチスクリーン４に適宜切り換えて表示する取引手順案内画像によって、顧客に紙幣の預け入れのような入金や、紙幣の払い出しのような出金等の所望の取引の手順を案内する。
【００６８】
これにより現金自動預払機１は、顧客に取引の手順の案内に従って、通帳挿入排出口３ＡＹやカード挿入排出口３ＡＺに通帳やカードを挿入させる。
【００６９】
そのうえで、現金自動預払機１は、入金の際には顧客に取引の手順の案内に従って、紙幣投入取出口３ＡＸに入金用の紙幣を投入させる。
【００７０】
また現金自動預払機１は、出金の際には顧客に取引の手順の案内に従って、紙幣投入取出口３ＡＸから出金用の紙幣を取り出させる。
【００７１】
そして現金自動預払機１は、通帳挿入排出口３ＡＹやカード挿入排出口３ＡＺから通帳やカードを排出するようにして、顧客に取引の手順の案内に従って、その通帳やカードを受け取らせる。
【００７２】
このようにして現金自動預払機１は、顧客が所望する紙幣の入金や出金等の取引を行うことができる。
【００７３】
（１−２）現金自動預払機の内部構成
次いで、現金自動預払機１の内部構成について説明する。図２に示すように、現金自動預払機１の預払機筐体２内には、当該現金自動預払機１全体を統括制御する制御部１０が配置されている。
【００７４】
また預払機筐体２内には、下端部に制御部１０の制御のもと、紙幣の入金処理及び出金処理等を行う紙幣処理ユニット１１が収納されている。
【００７５】
紙幣処理ユニット１１は、略箱型の筐体（以下、これをユニット筐体とも呼ぶ）１２を有している。そしてユニット筐体１２内には、例えば、上前隅部に、上述の紙幣投入取出口３ＡＸに対応させて、顧客から入金用の紙幣を受け取り、また顧客に出金用の紙幣を引き渡すための紙幣受渡部１４が配置されている。
【００７６】
またユニット筐体１２内には、例えば、紙幣受渡部１４の後斜下に、紙幣の金種や状態等を鑑別するための鑑別部１５が配置されると共に、当該鑑別部１５の後側に、入金時に紙幣を保持して、その入金を一時的に保留するための一時保留部１６が配置されている。
【００７７】
さらにユニット筐体１２内には、例えば、下前端部（すなわち、紙幣受渡部１４及び鑑別部１５の下側）に、預払機前後方向に長く、かつ上端に開口部が形成された略箱型の収納庫装着フレーム（以下、これを第１装着フレームとも呼ぶ）１７が収納されている。
【００７８】
第１装着フレーム１７は、例えば、底面に所定高さを有する複数の仕切板（図示せず）が前側から後側へかけて所定の等間隔で順に植設されている。
【００７９】
そして第１装着フレーム１７は、複数の仕切板によって区切られて形成された複数の装着箇所に、それぞれ入出金用の複数の紙幣を金種別に収納する（すなわち、特定の１金種の紙幣のみを収納する）紙幣収納庫１８乃至２０が着脱可能に装着されている。
【００８０】
すなわち、第１装着フレーム１７は、複数の装着箇所を利用して複数の紙幣収納庫１８乃至２０が前から後へ順に並べるようにして着脱可能に装着されている。
【００８１】
さらにユニット筐体１２内には、例えば、下後端部（すなわち、一時保留部１６の下側）に、預払機上下方向に長く、かつ前端及び後端に開口部が形成された略四角枠状の収納庫装着フレーム（以下、これを第２装着フレームとも呼ぶ）２１が収納されている。
【００８２】
第２装着フレーム２１内には、例えば、下端からの所定の高さ位置に、当該第２装着フレームの深さ（すなわち、前後の長さ）とほぼ等しい所定長さを有する１枚の仕切板（図示せず）が設けられている。
【００８３】
そして第２装着フレーム２１は、その仕切板によって区切られて形成された上下２つの装着箇所のうち上側の装着箇所に例えば、補充回収用の紙幣を収納する紙幣収納庫（以下、これを特に補充回収庫とも呼ぶ）２２が着脱可能に装着されている。
【００８４】
因みに、補充回収庫２２は、例えば、上端部に補充用の複数の紙幣を収納するための補充紙幣収納部が設けられると共に、下端部に回収用の複数の紙幣を収納するための回収紙幣収納部が設けられている。
【００８５】
また第２装着フレーム２１は、上下２つの装着箇所のうち下側の装着箇所に例えば、破損している紙幣や折れ曲がっている紙幣等のような異常な紙幣を収納するための紙幣収納庫２３が着脱可能に装着されている。
【００８６】
因みに、以下の説明では、破損している紙幣や折れ曲がっている紙幣等のような異常な紙幣を、適宜、入金用及び出金用の紙幣や補充用及び回収用の紙幣とは区別してリジェクト紙幣とも呼ぶ。
【００８７】
また、以下の説明では、リジェクト紙幣を収納するための紙幣収納庫２３を、特にリジェクト庫２３とも呼ぶ。
【００８８】
これに加えてユニット筐体１２内には、上前端部において紙幣受渡部１４と鑑別部１５との間に、搬送ガイドや搬送ローラ、搬送方向切換ブレード、搬送用モータ等の複数種類の搬送路形成部品を有する上前側搬送部２５が配置されている。
【００８９】
上前側搬送部２５は、複数種類の搬送路形成部品により、紙幣を、搬送先を適宜切り換えて搬送するための上前側搬送路（以下、これを上前側紙幣搬送路とも呼ぶ）２５Ａを形成している。そして上前側紙幣搬送路２５Ａは、紙幣受渡部１４及び鑑別部１５に接続されている。
【００９０】
またユニット筐体１２内には、上後端部において鑑別部１５と一時保留部１６との間にも、搬送ガイドや搬送ローラ、搬送方向切換ブレード、搬送用モータ等の複数種類の搬送路形成部品を有する上後側搬送部２６が配置されている。
【００９１】
上後側搬送部２６は、複数種類の搬送路形成部品により、紙幣を、搬送先を適宜切り換えて搬送するための上後側搬送路（以下、これを上後側紙幣搬送路とも呼ぶ）２６Ａを形成している。そして上後側紙幣搬送路２６Ａは、鑑別部１５及び一時保留部１６に接続されている。
【００９２】
さらにユニット筐体１２内には、上端部において紙幣受渡部１４と上後側搬送部２６との間（すなわち、鑑別部１５の上側）にも、搬送ガイドや搬送ローラ、搬送方向切換ブレード、搬送用モータ等の複数種類の搬送路形成部品を有する上側搬送部２７が配置されている。
【００９３】
上側搬送部２７は、複数種類の搬送路形成部品により、紙幣を、搬送先を適宜切り換えて搬送するための上側搬送路（以下、これを上側紙幣搬送路とも呼ぶ）２７Ａを形成している。そして上側紙幣搬送路２７Ａは、紙幣受渡部１４及び上後側紙幣搬送路２６Ａに接続されている。
【００９４】
さらにユニット筐体１２内において鑑別部１５及び上前側搬送部２５の下側となる第１装着フレーム１７の上端には、搬送ガイドや搬送ローラ、搬送方向切換ブレード、搬送用モータ等の複数種類の搬送路形成部品を有する第１搬送部２８が設けられている。
【００９５】
第１搬送部２８は、複数種類の搬送路形成部品により、紙幣を、搬送先を適宜切り換えて搬送するための第１搬送路（以下、これを第１紙幣搬送路とも呼ぶ）２８Ａを形成している。
【００９６】
そして第１紙幣搬送路２８Ａは、上前側紙幣搬送路２５Ａ及び複数の紙幣収納庫１８乃至２０に接続されている。
【００９７】
さらにまたユニット筐体１２内において上後側搬送部２６の下側となる第２装着フレーム２１の後端には、搬送ガイドや搬送ローラ、搬送方向切換ブレード、搬送用モータ等の複数種類の搬送路形成部品を有する第２搬送部２９が設けられている。
【００９８】
第２搬送部２９は、複数種類の搬送路形成部品により、紙幣を、搬送先を適宜切り換えて搬送するための第２搬送路（以下、これを第２紙幣搬送路とも呼ぶ）２９Ａを形成している。
【００９９】
そして第２紙幣搬送路２９Ａは、補充回収庫２２、リジェクト庫２３、上後側紙幣搬送路２６Ａ及び第１紙幣搬送路２８Ａに接続されている。
【０１００】
ところで、紙幣処理ユニット１１では、上前側搬送部２５、上後側搬送部２６及び上側搬送部２７により上前側紙幣搬送路２５Ａ、上後側紙幣搬送路２６Ａ及び上側紙幣搬送路２７Ａを介して長方形の紙幣を例えば、一方の短辺を左側に位置させ、かつ他方の短辺を右側に位置させて（すなわち、紙幣の長手方向を預払機左右方向とほぼ平行にして）一方の長辺を搬送方向に向けた搬送姿勢で搬送する。
【０１０１】
また紙幣処理ユニット１１では、第１搬送部２８及び第２搬送部２９も第１紙幣搬送路２８Ａ及び第２紙幣搬送路２９Ａを介して長方形の紙幣を例えば、一方の短辺を左側に位置させ、かつ他方の短辺を右側に位置させて（すなわち、紙幣の長手方向を預払機左右方向とほぼ平行にして）一方の長辺を搬送方向に向けた搬送姿勢で搬送する。
【０１０２】
なお、以下の説明では、紙幣の長手方向を、紙幣長手方向とも呼び、当該紙幣の短手方向を、紙幣短手方向とも呼ぶ。
【０１０３】
よって紙幣処理ユニット１１では、紙幣受渡部１４、鑑別部１５、一時保留部１６、複数の紙幣収納庫１８乃至２０、補充回収庫２２及びリジェクト庫２３において紙幣を、その搬送姿勢に応じて一方の短辺を左側に位置させ、かつ他方の短辺を右側に位置させた（すなわち、紙幣長手方向を預払機左右方向とほぼ平行にした）姿勢で取り扱っている。
【０１０４】
実際に制御部１０は、紙幣の入金時、シャッタ開閉部によりシャッタ５を開いて、顧客に紙幣投入取出口３ＡＸへ入金用の紙幣を投入するように促す。
【０１０５】
この際、制御部１０は、顧客により紙幣投入取出口３ＡＸに１又は複数の入金用の紙幣が投入されると、その入金用の紙幣を紙幣受渡部１４で受け取り、当該紙幣受渡部１４から、その入金用の紙幣を１枚ずつ繰り出す。
【０１０６】
また制御部１０は、紙幣受渡部１４から１枚ずつ繰り出した紙幣を、上前側紙幣搬送路２５Ａを介して鑑別部１５へ搬送して、当該鑑別部１５において、その紙幣の金種や状態等を鑑別させる。
【０１０７】
その結果、制御部１０は、鑑別部１５から正常であると鑑別されて繰り出された紙幣については、上後側紙幣搬送路２６Ａを介して一時保留部１６へ搬送して一時的に保持させることにより、当該紙幣の入金を保留する。
【０１０８】
また制御部１０は、鑑別部１５から破損や折れ等により異常であると鑑別されて繰り出された紙幣については、リジェクト紙幣として上後側紙幣搬送路２６Ａ及び上側紙幣搬送路２７Ａを順次介して紙幣受渡部１４へ戻すように搬送する。
【０１０９】
そして制御部１０は、シャッタ開閉部によりシャッタ５を開いて、顧客に紙幣投入取出口３ＡＸを介して紙幣受渡部１４からリジェクト紙幣を取り出させるようにして返却する。
【０１１０】
このようにして制御部１０は、鑑別部１５において、紙幣投入取出口３ＡＸに投入された入金用の紙幣が全て鑑別されると、正常であると鑑別された紙幣の総額（すなわち、入金の金額）を、タッチスクリーン４を介して顧客に提示する。
【０１１１】
その結果、制御部１０は、入金の金額を確認した顧客によりタッチスクリーン４を介して紙幣の入金が指示されると、一時保留部１６から一時的に保持していた紙幣を１枚ずつ繰り出す。
【０１１２】
この際、制御部１０は、一時保留部１６から１枚ずつ繰り出した紙幣を、上後側紙幣搬送路２６Ａを介して鑑別部１５へ搬送して、当該鑑別部１５において再び、その紙幣の金種や状態等を鑑別させる。
【０１１３】
そして制御部１０は、鑑別部１５から正常であると鑑別されて繰り出された紙幣については、上前側紙幣搬送路２５Ａ及び第１紙幣搬送路２８Ａを順次介して当該紙幣の金種に応じた紙幣収納庫１８乃至２０へ搬送して収納する。
【０１１４】
ただし、制御部１０は、この際、鑑別部１５から異常であると鑑別されて繰り出された紙幣については、リジェクト紙幣として上前側紙幣搬送路２５Ａ、第１紙幣搬送路２８Ａ及び第２紙幣搬送路２９Ａを順次介してリジェクト庫２３へ搬送して収納することにより、その後の出金には用いないようにする。
【０１１５】
このようにして制御部１０は、紙幣処理ユニット１１において紙幣の入金処理を実行して、顧客の所望する取引としての紙幣の入金を行うことができる。
【０１１６】
一方、制御部１０は、紙幣の出金時、例えば、顧客によりタッチスクリーン４を介して出金の金額が指定されると、複数の紙幣収納庫１８乃至２０から、顧客により指定された金額分の紙幣を１枚ずつ繰り出す。
【０１１７】
この際、制御部１０は、複数の紙幣収納庫１８乃至２０から１枚ずつ繰り出した紙幣を、第１紙幣搬送路２８Ａ及び上前側紙幣搬送路２５Ａを順次介して鑑別部１５へ搬送して、当該鑑別部１５において紙幣の金種や状態等を鑑別させる。
【０１１８】
その結果、制御部１０は、鑑別部１５から正常であると鑑別されて繰り出された紙幣については、上後側紙幣搬送路２６Ａ及び上側紙幣搬送路２７Ａを順次介して紙幣受渡部１４へ搬送する。
【０１１９】
ただし、制御部１０は、この際、鑑別部１５から異常であると鑑別されて繰り出された紙幣については、リジェクト紙幣として上後側紙幣搬送路２６Ａ及び第２紙幣搬送路２９Ａを順次介してリジェクト庫２３へ搬送して収納することにより、その後の出金には用いないようにする。
【０１２０】
そして制御部１０は、紙幣受渡部１４に出金用に指定された金額分の紙幣を搬送し終えると、シャッタ開閉部によりシャッタ５を開いて、顧客に紙幣投入取出口３ＡＸを介して紙幣受渡部１４から、その出金用に指定された金額分の紙幣を取り出させるようにして引き渡す。
【０１２１】
このようにして制御部１０は、紙幣処理ユニット１１において紙幣の出金処理を実行して、顧客の所望する取引としての紙幣の出金を行うことができる。
【０１２２】
また制御部１０は、紙幣の補充時、補充回収庫２２の補充紙幣収納部から補充用の紙幣を１枚ずつ繰り出し第２紙幣搬送路２９Ａ及び上後側紙幣搬送路２６Ａを順次介して鑑別部１５へ搬送して、当該鑑別部１５において紙幣の金種や状態等を鑑別させる。
【０１２３】
その結果、制御部１０は、鑑別部１５から正常であると鑑別されて繰り出された紙幣については、上前側紙幣搬送路２５Ａ及び第１紙幣搬送路２８Ａを順次介して、その金種に応じた紙幣収納庫１８乃至２０へ搬送して収納する。
【０１２４】
ただし、制御部１０は、この際、鑑別部１５から異常であると鑑別されて繰り出された紙幣については、リジェクト紙幣として上前側紙幣搬送路２５Ａ、第１紙幣搬送路２８Ａ及び第２紙幣搬送路２９Ａを順次介してリジェクト庫２３へ搬送して収納する。
【０１２５】
このようにして制御部１０は、紙幣処理ユニット１１において紙幣の補充処理を実行して、複数の紙幣収納庫１８乃至２０に出金に用いる紙幣を補充することができる。
【０１２６】
さらに制御部１０は、紙幣の回収時、複数の紙幣収納庫１８乃至２０から回収用の紙幣を１枚ずつ繰り出し第１紙幣搬送路２８Ａ及び上前側紙幣搬送路２５Ａを順次介して鑑別部１５へ搬送して、当該鑑別部１５において紙幣の金種や状態等を鑑別させる。
【０１２７】
その結果、制御部１０は、鑑別部１５から正常であると鑑別されて繰り出された紙幣については、上後側紙幣搬送路２６Ａ及び第２紙幣搬送路２９Ａを順次介して補充回収庫２２の回収紙幣収納部へ搬送して収納する。
【０１２８】
ただし、制御部１０は、この際、鑑別部１５から異常であると鑑別されて繰り出された紙幣については、リジェクト紙幣として上後側紙幣搬送路２６Ａ及び第２紙幣搬送路２９Ａを順次介してリジェクト庫２３へ搬送して収納する。
【０１２９】
このようにして制御部１０は、紙幣処理ユニット１１において紙幣の回収処理を実行して、複数の紙幣収納庫１８乃至２０から紙幣を回収することができる。
【０１３０】
ところで、図３（Ａ）及び（Ｂ）に示すように、第１装着フレーム１７は、左側板１７Ａの上端に、預払機前後方向に長い左レール取付板１７ＡＸが預払機左方向に張り出すように設けられている。
【０１３１】
また第１装着フレーム１７は、右側板１７Ｂの上端に、預払機前後方向に長い右レール取付板１７ＢＸが預払機右方向へ張り出すように設けられている。
【０１３２】
さらに第１搬送部２８は、例えば、上端及び後端が開放された預払機前後方向に長い略偏平箱型のフレーム（以下、これを第１搬送フレームとも呼ぶ）３５を有している。
【０１３３】
因みに、以下の説明では、第１搬送フレーム３５において開放されている上端を、上開放端とも呼び、後端を、後開放端とも呼ぶ。
【０１３４】
また、以下の説明では、第１搬送フレーム３５において底面を、フレーム底面とも呼び、下面３５Ａを、フレーム下面３５Ａとも呼ぶ。
【０１３５】
そして第１搬送フレーム３５は、後開放端付近に、第１紙幣搬送路２８Ａを形成し、当該第１紙幣搬送路２８Ａを第２紙幣搬送路２９Ａと接続するための硬質な略四角平板状の一対の第１搬送ガイド３６、３７が配置されている。
【０１３６】
すなわち、第１搬送フレーム３５は、後開放端付近のフレーム底面側に一方の第１搬送ガイド３６が、その外面を当該フレーム底面に近接させて平行にして、後端部を後開放端から預払機後方向へ突出させ、かつ前端部を第１搬送フレーム３５内に入り込ませるようにして配置されている。
【０１３７】
そして一方の第１搬送ガイド３６は、後開放端から突出している後端部が、後述するように複数の凸部を預払機左右方向に沿って所定の間隔で設けるようにして櫛歯状に形成されている。
【０１３８】
また第１搬送フレーム３５は、後開放端付近の上開放端側に他方の第１搬送ガイド３７が、その内面を一方の第１搬送ガイド３６の内面と所定の間隙を介して平行にして、後端部を後開放端から預払機後方向へ突出させ、かつ前端部を第１搬送フレーム３５内に入り込ませるようにして配置されている。
【０１３９】
そして他方の第１搬送ガイド３７も、後開放端から突出している後端部が、後述するように複数の凸部を預払機左右方向に沿って所定の間隔で設けるようにして櫛歯状に形成されている。
【０１４０】
因みに、以下の説明では、第１搬送フレーム３５の後開放端付近に、第１紙幣搬送路２８Ａを形成して第２紙幣搬送路２９Ａと接続するために配置された一対の第１搬送ガイド３６、３７のうち、フレーム底面側に位置する一方の第１搬送ガイド３６を、第１下搬送ガイド３６とも呼ぶ。
【０１４１】
また、以下の説明では、第１搬送フレーム３５の後開放端付近に、第１紙幣搬送路２８Ａを形成して第２紙幣搬送路２９Ａと接続するために配置された一対の第１搬送ガイド３６、３７のうち、上開放端側に位置する他方の第１搬送ガイド３７を、第１上搬送ガイド３７とも呼ぶ。
【０１４２】
さらに第１下搬送ガイド３６及び第１上搬送ガイド３７は、それぞれ横幅（すなわち、預払機左右方向の長さ）が、第１搬送フレーム３５の左側板の内面から右側板の内面までの長さよりも僅かに短いものの、紙幣の長辺の長さ以上の所定長さに選定されている。
【０１４３】
よって第１下搬送ガイド３６及び第１上搬送ガイド３７は、それぞれ左側面及び右側面を預払機前後方向と平行にして、第１搬送フレーム３５の左側板の内面及び右側板の内面に近接させている。
【０１４４】
これにより第１搬送部２８は、第１下搬送ガイド３６及び第１上搬送ガイド３７の間に、紙幣を預払機前後方向へ搬送するための（すなわち、搬送用に通すための）第１紙幣搬送路２８Ａを形成している。
【０１４５】
そして第１装着フレーム１７は、ヒンジ部３８の回動軸３８Ａを預払機前後方向と平行にした状態で、例えば、右レール取付板１７ＢＸの上面に当該ヒンジ部３８の一方の回動片が接合されている。
【０１４６】
また第１搬送部２８は、第１紙幣搬送路２８Ａによる紙幣の搬送方向をヒンジ部３８の回動軸３８Ａと平行にした状態で、当該ヒンジ部３８の他方の回動片がフレーム下面３５Ａの右縁部に接合されている。
【０１４７】
よって第１装着フレーム１７は、上端に第１搬送部２８が、フレーム下面３５Ａの右縁部と対向する（すなわち、第１下搬送ガイド３６の外面の斜め下に位置する）預払機前後方向（すなわち、紙幣の搬送方向）と平行な回動軸３８Ａを中心にして、図中に矢印ｄ１で示す一回転方向、及びこれとは逆の他回転方向へ回動可能に設けられている。
【０１４８】
すなわち、第１装着フレーム１７は、上端に第１搬送部２８が、例えば、フレーム下面３５Ａを下側に向けて当該第１装着フレーム１７の上端の開口部１７Ｃと対向させる位置から、開口部１７Ｃの脇（右斜め上）でフレーム下面３５Ａを左側に向ける位置までの略９０度の範囲で回動可能に設けられている。
【０１４９】
因みに、第１搬送部２８がフレーム下面３５Ａを下側に向けて第１装着フレーム１７の開口部１７Ｃと対向させる位置は、当該第１搬送部２８が第１紙幣搬送路２８Ａを、後述するように第２搬送部２９の第２紙幣搬送路２９Ａと接続するための位置である。
【０１５０】
従って、以下の説明では、第１搬送部２８がフレーム下面３５Ａを下側に向けて第１装着フレーム１７の開口部１７Ｃと対向させる位置を、搬送路接続位置とも呼ぶ。
【０１５１】
そして、以下の説明では、第１搬送部２８が搬送路接続位置で、フレーム下面３５Ａを下側に向けて第１装着フレーム１７の開口部１７Ｃと対向させるときの当該第１搬送部２８の姿勢を、搬送路接続姿勢とも呼ぶ。
【０１５２】
また第１搬送部２８が第１装着フレーム１７の開口部１７Ｃの脇でフレーム下面３５Ａを左側に向ける位置は、当該第１搬送部２８が第１紙幣搬送路２８Ａを、後述するように第２搬送部２９の第２紙幣搬送路２９Ａから切り離して第１装着フレーム１７に対する複数の紙幣収納庫１８乃至２０の着脱のために搬送路接続位置から待避するための位置である。
【０１５３】
従って、以下の説明では、第１搬送部２８が第１装着フレーム１７の開口部１７Ｃの脇でフレーム下面３５Ａを左側に向ける位置を、待避位置とも呼ぶ。
【０１５４】
そして、以下の説明では、第１搬送部２８が待避位置でフレーム下面３５Ａを左側に向けるときの当該第１搬送部２８の姿勢を、待避姿勢とも呼ぶ。
【０１５５】
なお、以下の説明では、第１搬送部２８が、その位置を搬送路接続位置へ変位させるための図中に矢印ｄ１で示す一回転方向を、搬送路接続方向とも呼ぶ。
【０１５６】
また、以下の説明では、第１搬送部２８が、その位置を待避位置へ変位させるための他回転方向（すなわち、搬送路接続方向とは逆の他回転方向）を、待避方向とも呼ぶ。
【０１５７】
そして紙幣処理ユニット１１のユニット筐体１２は、左側板の内面中央部にユニット左レールガイド（図示せず）が、その長手方向を預払機前後方向と平行にして配置されている。
【０１５８】
また紙幣処理ユニット１１のユニット筐体１２は、右側板の内面中央部にユニット右レールガイド（図示せず）が、その長手方向を預払機前後方向と平行にして配置されている。
【０１５９】
さらに第１装着フレーム１７は、左レール取付板１７ＡＸの下面に第１左スライドレール４０が、その長手方向を預払機前後方向と平行にして取り付けられている。
【０１６０】
さらにまた第１装着フレーム１７は、右レール取付板１７ＢＸの下面に第１右スライドレール４１が、その長手方向を預払機前後方向と平行にして取り付けられている。
【０１６１】
これに加えて第１装着フレーム１７は、左側板１７Ａの外面において下端寄りの所定位置に、第１左レールガイド４２が、その長手方向を預払機前後方向と平行にして配置されている。
【０１６２】
また第１装着フレーム１７は、右側板１７Ｂの外面において下端寄りの所定位置に、第１右レールガイド４３が、その長手方向を預払機前後方向と平行にして配置されている。
【０１６３】
そして第１装着フレーム１７は、第１左スライドレール４０及び第１右スライドレール４１が、ユニット筐体１２のユニット左レールガイド及びユニット右レールガイドに係合されている。
【０１６４】
よってユニット筐体１２は、第１装着フレーム１７を、ユニット左レールガイド及びユニット右レールガイド並びに第１左スライドレール４０及び第１右スライドレール４１を介して預払機前後方向にスライド可能に支持している。
【０１６５】
一方、図４に示すように、第２装着フレーム２１は、上述のように預払機上下方向に長い略四角枠状に形成されている。
【０１６６】
また第２搬送部２９は、例えば、後端及び上端が開放された預払機上下方向に長い略偏平箱型のフレーム（以下、これを第２搬送フレームとも呼ぶ）４５を有している。
【０１６７】
第２搬送フレーム４５は、前面（以下、これをフレーム前面とも呼ぶ）４５Ａの上端寄りの所定位置に、長方形状の開口部４５ＡＸが預払機左右方向と平行に形成されている。
【０１６８】
そして第２搬送フレーム４５は、フレーム前面４５Ａの開口部４５ＡＸに、第２紙幣搬送路２９Ａを形成し、当該第２紙幣搬送路２９Ａを第１紙幣搬送路２８Ａと接続するための硬質な略四角平板状の一対の第２搬送ガイド４６、４７が配置されている。
【０１６９】
すなわち、第２搬送フレーム４５は、開口部４５ＡＸの下縁側に一方の第２搬送ガイド４６が、その外面を当該下縁に近接させて水平にして、前端部を開口部４５ＡＸから預払機前方向へ突出させ、かつ後端部を第２搬送フレーム４５内に入り込ませるようにして配置されている。
【０１７０】
そして一方の第２搬送ガイド４６は、フレーム前面４５Ａの開口部４５ＡＸから突出している前端部が、後述するように複数の凸部を預払機左右方向に沿って所定の間隔で設けるようにして櫛歯状に形成されている。
【０１７１】
また第２搬送フレーム４５は、開口部４５ＡＸの上縁側に他方の第２搬送ガイド４７が、その内面を一方の第２搬送ガイド４６の内面と所定の間隙を介して平行にして、前端部を開口部４５ＡＸから預払機前方向へ突出させ、かつ後端部を第２搬送フレーム４５内に入り込ませるようにして配置されている。
【０１７２】
そして他方の第２搬送ガイド４７も、フレーム前面４５Ａの開口部４５ＡＸから突出している前端部が、後述するように複数の凸部を預払機左右方向に沿って所定の間隔で設けるようにして櫛歯状に形成されている。
【０１７３】
因みに、以下の説明では、第２搬送フレーム４５の開口部４５ＡＸに、第２紙幣搬送路２９Ａを形成して第１紙幣搬送路２８Ａと接続するために配置された一対の第２搬送ガイド４６、４７のうち、当該開口部４５ＡＸの下縁側に位置する一方の第２搬送ガイド４６を、第２下搬送ガイド４６とも呼ぶ。
【０１７４】
また、以下の説明では、第２搬送フレーム４５の開口部４５ＡＸに、第２紙幣搬送路２９Ａを形成して第１紙幣搬送路２８Ａと接続するために配置された一対の第２搬送ガイド４６、４７のうち、当該開口部４５ＡＸの上縁側に位置する他方の第２搬送ガイド４７を、第２上搬送ガイド４７とも呼ぶ。
【０１７５】
さらに第２下搬送ガイド４６の内面と第２上搬送ガイド４７の内面との間隙は、上述した第１下搬送ガイド３６の内面と第１上搬送ガイド３７の内面との間隙と等しく選定されている。
【０１７６】
さらにまた第２下搬送ガイド４６及び第２上搬送ガイド４７は、それぞれ横幅（すなわち、預払機左右方向の長さ）が、フレーム前面４５Ａの開口部４５ＡＸの左縁から右縁までの長さよりも僅かに短いものの、紙幣の長辺の長さ以上の所定長さに選定されている。
【０１７７】
よって第２下搬送ガイド４６及び第２上搬送ガイド４７は、それぞれ左側面及び右側面を、預払機前後方向と平行にしてフレーム前面４５Ａの開口部４５ＡＸの左縁及び右縁に近接させている。
【０１７８】
これにより第２搬送部２９は、第２下搬送ガイド４６及び第２上搬送ガイド４７の間に、紙幣を預払機前後方向へ搬送するための（すなわち、搬送用に通すための）第２紙幣搬送路２９Ａを形成している。
【０１７９】
そして第２装着フレーム２１は、前端に第２搬送部２９が、当該前端を第２搬送フレーム４５の後端で塞ぐようにして設けられている。
【０１８０】
すなわち、第２装着フレーム２１は、前端に第２搬送部２９が、第２下搬送ガイド４６及び第２上搬送ガイド４７の前端を、第１搬送部２８が搬送路接続位置に位置しているときの第１下搬送ガイド３６及び第１上搬送ガイド３７の後端と対向させるように設けられている。
【０１８１】
そして第２装着フレーム２１は、左側板２１Ａの外面において下端寄りの所定位置に、第２左スライドレール４８が、その長手方向を預払機前後方向と平行にして取り付けられている。
【０１８２】
また第２装着フレーム２１は、右側板２１Ｂの外面において下端寄りの所定位置に、第２右スライドレール４９が、その長手方向を預払機前後方向と平行にして取り付けられている。
【０１８３】
そして第２装着フレーム２１は、第２左スライドレール４８及び第２右スライドレール４９が、第１装着フレーム１７の第１左レールガイド４２及び第１右レールガイド４３に係合されている。
【０１８４】
これにより第１装着フレーム１７は、第２装着フレーム２１を、第１左レールガイド４２及び第１右レールガイド４３並びに第２左スライドレール４８及び第２右スライドレール４９を介して預払機前後方向にスライド可能に支持している。
【０１８５】
紙幣処理ユニット１１は、係る構成のもと、ユニット筐体１２内に、第１装着フレーム１７が第１搬送部２８を搬送路接続姿勢にして収納されると共に、第２装着フレーム２１が収納された状態では、当該第１搬送部２８の後開放端に第２搬送部２９の開口部４５ＡＸを近接させている。
【０１８６】
紙幣処理ユニット１１は、係る状態では第１搬送部２８の第１下搬送ガイド３６の後端部及び第１上搬送ガイド３７の後端部を、第２搬送部２９の第２下搬送ガイド４６の前端部及び第２上搬送ガイド４７の前端部と嵌合させて、第１紙幣搬送路２８Ａと第２紙幣搬送路２９Ａとを接続している。
【０１８７】
そして紙幣処理ユニット１１は、作業者により預払機筐体２の扉６が開かれると、第２装着フレーム２１内の補充回収庫２２を露出させる。
【０１８８】
これにより紙幣処理ユニット１１は、作業者に第２装着フレーム２１から補充回収庫２２を取り出させ、また補充用の複数の紙幣が装填された補充回収庫２２を第２装着フレーム２１に装着させることができる。
【０１８９】
また図５に示すように、紙幣処理ユニット１１は、作業者により預払機筐体２の扉６が開かれた場合、その作業者にユニット筐体１２内から第１装着フレーム１７と共に第２装着フレーム２１を、第１紙幣搬送路２８Ａと第２紙幣搬送路２９Ａとを接続したまま預払機筐体２の後側へ引き出させることができる。
【０１９０】
この際、紙幣処理ユニット１１は、上前側紙幣搬送路２５Ａから第１紙幣搬送路２８Ａを切り離すと共に、上後側紙幣搬送路２６Ａから第２紙幣搬送路２９Ａを切り離す。
【０１９１】
さらに図６に示すように、紙幣処理ユニット１１は、このように作業者によりユニット筐体１２内から第１装着フレーム１７と共に第２装着フレーム２１が預払機筐体２の後側へ引き出された場合、その作業者に第２装着フレーム２１のみをさらに後側へ引かせるようにして所定距離だけ移動させることができる。
【０１９２】
これにより紙幣処理ユニット１１は、第２搬送部２９を第１搬送部２８から離すようにして、第１下搬送ガイド３６の後端部及び第１上搬送ガイド３７の後端部から第２搬送部２９の第２下搬送ガイド４６の前端部及び第２上搬送ガイド４７の前端部を引き離して、第１紙幣搬送路２８Ａから第２紙幣搬送路２９Ａを切り離すことができる。
【０１９３】
また紙幣処理ユニット１１は、このようにして第１紙幣搬送路２８Ａから第２紙幣搬送路２９Ａを切り離すと、作業者に搬送路接続姿勢の第１搬送部２８の左端部を持ち上げさせるようにして、当該第１搬送部２８を搬送路接続位置の脇となる待避位置まで回転させることができる。
【０１９４】
これにより紙幣処理ユニット１１は、複数の紙幣収納庫１８乃至２０から第１紙幣搬送路２８Ａを切り離し、作業者に第１装着フレーム１７から複数の紙幣収納庫１８乃至２０を引き抜くようにして取り出させることができる。
【０１９５】
そのうえで紙幣処理ユニット１１は、作業者に、それぞれ複数の紙幣が装填された複数の紙幣収納庫１８乃至２０を第１装着フレーム１７に差し込むようにして装着させることができる。
【０１９６】
そして紙幣処理ユニット１１は、このように第１装着フレーム１７に複数の紙幣収納庫１８乃至２０が装着されると、引き続き作業者に待避姿勢の第１搬送部２８の左端部を引き下げさせるようにして、当該第１搬送部２８を待避位置から搬送路接続位置まで回転させることができる。
【０１９７】
この際、紙幣処理ユニット１１は、複数の紙幣収納庫１８乃至２０に第１紙幣搬送路２８Ａを再び接続する。
【０１９８】
このようにして紙幣処理ユニット１１は、複数の紙幣収納庫１８乃至２０に第１紙幣搬送路２８Ａを接続すると、引き続き作業者に第２装着フレーム２１のみを前側へ押させるようにして所定距離だけ移動させることができる。
【０１９９】
これにより紙幣処理ユニット１１は、第２搬送部２９を第１搬送部２８に近接させて第２下搬送ガイド４６の前端部及び第２上搬送ガイド４７の前端部を第１下搬送ガイド３６の後端部及び第１上搬送ガイド３７の後端部に嵌合させて、第２紙幣搬送路２９Ａを第１紙幣搬送路２８Ａに再び接続することができる。
【０２００】
そのうえで紙幣処理ユニット１１は、作業者に第２装着フレーム２１と共に第１装着フレーム１７を、第１紙幣搬送路２８Ａと第２紙幣搬送路２９Ａとを接続したままユニット筐体１２に押し込むようにして収納させた後、預払機筐体２の扉６を閉じさせることができる。
【０２０１】
このようにして紙幣処理ユニット１１は、現金自動預払機１の設置環境や運用形態等に応じて、補充回収庫２２及び複数の紙幣収納庫１８乃至２０の何れも着脱させることができる。
【０２０２】
これにより紙幣処理ユニット１１は、着脱可能な補充回収庫２２を利用して複数の紙幣収納庫１８乃至２０内の紙幣の枚数を調整し、又は例えば、複数の紙幣収納庫１８乃至２０を適宜交換させて、当該複数の紙幣収納庫１８乃至２０において紙幣の過不足が生じることを回避することができる。
【０２０３】
また紙幣処理ユニット１１は、現金自動預払機１の設置環境や運用形態等によっては、着脱可能な補充回収庫２２を利用する複数の紙幣収納庫１８乃至２０内の紙幣の枚数の調整と、複数の紙幣収納庫１８乃至２０の交換とを併用させて、当該複数の紙幣収納庫１８乃至２０において紙幣の過不足が生じることを回避することもできる。
【０２０４】
なお、紙幣処理ユニット１１（図２、図５及び図６）は、例えば、ユニット筐体１２の前板において第１装着フレーム１７の前板の下端部と対向する所定位置に、当該ユニット筐体１２に対する第１装着フレーム１７及び第２装着フレーム２１の引き出しの有無（又は、収納の有無）を検出するための押圧スイッチ等でなる検出部５０が設けられている。
【０２０５】
よって制御部１０は、例えば、検出部５０に第１装着フレーム１７の前板が接触している間は、当該検出部５０を介して、ユニット筐体１２に第１装着フレーム１７及び第２装着フレーム２１が収納されていることを検出することができる。
【０２０６】
また制御部１０は、例えば、検出部５０から第１装着フレーム１７の前板が離隔している間は、当該検出部５０を介して、ユニット筐体１２から第１装着フレーム１７及び第２装着フレーム２１が引き出されていることを検出することができる。
【０２０７】
そして制御部１０は、ユニット筐体１２に第１装着フレーム１７及び第２装着フレーム２１が収納されていることを検出している間（すなわち、検出部５０に第１装着フレーム１７の前板が接触した時点から離れる時点までの間）は、第１搬送部２８や第２搬送部２９、複数の紙幣収納庫１８乃至２０、補充回収庫２２等に電力を供給して動作可能にしている。
【０２０８】
これに対し制御部１０は、ユニット筐体１２から第１装着フレーム１７及び第２装着フレーム２１が引き出されたことを検出している間（すなわち、検出部５０から第１装着フレーム１７の前板が離れた時点から接触する時点までの間）は、例えば、第１搬送部２８や第２搬送部２９、複数の紙幣収納庫１８乃至２０、補充回収庫２２等に対する電力の供給を停止して動作させないようにしている。
【０２０９】
これにより制御部１０は、ユニット筐体１２から第１装着フレーム１７及び第２装着フレーム２１が引き出されると、第１搬送部２８や第２搬送部２９、複数の紙幣収納庫１８乃至２０、補充回収庫２２等の動作を完全に停止させた状態で、補充回収庫２２や複数の紙幣収納庫１８乃至２０を着脱させて、故障や事故が発生することを防止している。
【０２１０】
ところで、紙幣処理ユニット１１では、第２装着フレーム２１全体（すなわち、第２搬送部２９、補充回収庫２２及びリジェクト庫２３を含む）の重量が、その構成部品の材質や数、種類等により比較的重くなっている。
【０２１１】
また紙幣処理ユニット１１では、補充回収庫２２に収納される紙幣や、リジェクト庫２３に収納されるリジェクト紙幣が増加すると、その分、第２装着フレーム２１全体の重量が増すことになる。
【０２１２】
さらに紙幣処理ユニット１１は、上述のように複数の紙幣収納庫１８乃至２０の着脱時にユニット筐体１２から第１装着フレーム１７及び第２装着フレーム２１を後側へ引き出した後、さらに第２装着フレーム２１を後側へ移動させるには、現金自動預払機１の後側に比較的広いスペースを確保させることになる。
【０２１３】
このため紙幣処理ユニット１１では、複数の紙幣収納庫１８乃至２０の着脱時に作業者の負担を極力低減し、また現金自動預払機１の後側に必要となる複数の紙幣収納庫１８乃至２０の着脱のためのスペースを極力小さくし得るように、第１搬送部２８及び第２搬送部２９が構成されている。
【０２１４】
すなわち、紙幣処理ユニット１１は、ユニット筐体１２から第１装着フレーム１７及び第２装着フレーム２１を後側へ引き出した場合、第２装着フレーム２１をさらに後側へ移動させなくても、第１搬送部２８を搬送路接続位置から待避位置まで回転させ得るように、第１搬送部２８及び第２搬送部２９が構成されている。よって以下には、第１搬送部２８及び第２搬送部２９の構成について、さらに説明する。
【０２１５】
（１−３）第１搬送部及び第２搬送部の構成
図７に示すように、第１搬送部２８において第１下搬送ガイド３６は、預払機前後方向の長さが所定長さに選定され、後端部には上述したように複数の凸部３６Ａが所定の間隔で設けられている。
【０２１６】
ただし、第１下搬送ガイド３６は、後端部に設けられる複数の凸部３６Ａの幅（すなわち、預払機左右方向の長さ）が個別に選定されている。
【０２１７】
また第１下搬送ガイド３６は、これら複数の凸部３６Ａの間隔（又は、複数の凸部３６Ａの間の複数の凹部３６Ｂの幅）も個別に選定されている。
【０２１８】
実際に第１下搬送ガイド３６では、複数の凸部３６Ａの幅が、回動軸３８Ａから当該複数の凸部３６Ａまでの距離に応じて例えば、回動軸３８Ａに近いものは比較的狭く選定され、回動軸３８Ａから遠いものは比較的広く選定されている。
【０２１９】
また第１下搬送ガイド３６では、複数の凸部３６Ａの間隔が、回動軸３８Ａから当該複数の凸部３６Ａまでの距離に応じて例えば、回動軸３８Ａに近いもの同士では比較的広く選定され、回動軸３８Ａから遠いもの同士では比較的狭く選定されている。
【０２２０】
そして第１下搬送ガイド３６は、第１搬送フレーム３５に対し、後端部の少なくとも複数の凸部３６Ａを後開放端から預払機後方向へ突出させ、かつ前端部を第１搬送フレーム３５内に入り込ませるようにして固設されている。
【０２２１】
また第１搬送部２８において第１上搬送ガイド３７は、預払機前後方向の長さが例えば、第１搬送フレーム３５の預払機前後方向の長さに比して比較的短い所定長さに選定され、後端部には上述したように複数の凸部３７Ａが所定の間隔で設けられている。
【０２２２】
そして第１上搬送ガイド３７は、例えば、これら複数の凸部３７Ａの幅と、当該複数の凸部３７Ａの間隔（又は、複数の凸部３７Ａの間の複数の凹部３７Ｂの幅）とが、第１下搬送ガイド３６の場合と同様に、回動軸３８Ａから複数の凸部３７Ａまでの距離に応じて選定されている。
【０２２３】
ただし、この実施の形態の場合、第１上搬送ガイド３７の後端部は、例えば、第１下搬送ガイド３６の後端部と同様に形成されている。
【０２２４】
さらにまた第１上搬送ガイド３７は、前端部にそれぞれ等しい幅を有する複数の凸部３７Ｃが預払機左方向に沿って所定の等間隔で設けられ、これら複数の凸部３７Ｃに例えば、円形の軸挿入孔部が預払機左方向に沿って順に穿設されている。
【０２２５】
これに加えて第１搬送フレーム３５は、左側板の内面の上端部及び右側板の内面の上端部において後開放端寄りの所定の対向位置に一対の軸取付孔部が穿設されている。
【０２２６】
また第１搬送フレーム３５は、一対の軸取付孔部に例えば、円柱状の回動軸（以下、これを第１回動軸とも呼ぶ）５４が、その長手方向を紙幣の搬送方向と直交する方向（以下、これを搬送直交方向とも呼ぶ）と平行にして取り付けられている。
【０２２７】
そして第１上搬送ガイド３７は、第１搬送フレーム３５に後端部を後開放端から預払機後方向へ突出させ、かつ前端部を第１搬送フレーム３５内に入り込ませるようにして固設され、当該前端部の複数の凸部３７Ｃの軸挿入孔部に第１回動軸５４が挿入されている。
【０２２８】
ただし、第１上搬送ガイド３７は、後端部の複数の凸部３７Ａの先端の位置と第１下搬送ガイド３６の複数の凸部３６Ａの先端の位置とを紙幣の搬送方向にずらすように、後開放端からの後端部の突出長さが、当該後開放端からの第１下搬送ガイド３６の後端部の突出長さよりも長い所定長さに選定されている。
【０２２９】
これにより第１上搬送ガイド３７は、後端部において少なくとも複数の凸部３７Ａを、第１下搬送ガイド３６の複数の凸部３６Ａよりも第２搬送部２９側（すなわち、後側）に位置させている。
【０２３０】
すなわち、第１上搬送ガイド３７は、内面において複数の凸部３７Ａよりも前側の部分を、第１下搬送ガイド３６の複数の凸部３６Ａと対向させている。
【０２３１】
因みに、第１搬送部２８の第１搬送フレーム３５には、上開放端側において第１上搬送ガイド３７の前にも搬送ガイド５５が配置されている。
【０２３２】
係る搬送ガイド５５は、預払機前後方向の長さが、第１上搬送ガイド３７の預払機前後方向の長さよりも長いものの、第１搬送フレーム３５の預払機前後方向の長さよりも僅かに短い所定長さに選定されている。
【０２３３】
また搬送ガイド５５は、後端部に例えば、第１上搬送ガイド３７の前端部の複数の凸部３７Ｃの幅と等しい幅を有する複数の凸部５５Ａが、当該第１上搬送ガイド３７の複数の凸部３７Ｃの間の複数の凹部３７Ｄに対応させて所定の等間隔で設けられている。
【０２３４】
さらに搬送ガイド５５は、例えば、後端部の複数の凸部５５Ａに、円形の軸挿入孔部が預払機左方向に沿って順に穿設されている。
【０２３５】
そして搬送ガイド５５は、後端部の複数の凸部５５Ａの軸挿入孔部に第１回動軸５４が挿入された状態で、これら複数の凸部５５Ａ、及び当該複数の凸部５５Ａの間の複数の凹部５５Ｂを、第１上搬送ガイド３７の前端部の複数の凹部３７Ｄ及び複数の凸部３７Ｃと嵌合させている。
【０２３６】
これにより搬送ガイド５５は、第１搬送フレーム３５に例えば、第１紙幣搬送路２８Ａのメンテナンス時の可動用として、第１回動軸５４を中心にして当該搬送ガイド５５の内面を、第１上搬送ガイド３７の内面と面一にした位置から前側に向ける位置までの９０度以上の範囲で回動可能に設けられている。
【０２３７】
因みに、以下の説明では、第１搬送フレーム３５の上開放端側に、第１紙幣搬送路２８Ａのメンテナンス時の可動用として回動可能に設けられた搬送ガイド５５を、可動搬送ガイド５５とも呼ぶ。
【０２３８】
一方、図８に示すように、第２搬送部２９において第２上搬送ガイド４７は、預払機前後方向の長さが所定長さに選定されている。
【０２３９】
そして第２上搬送ガイド４７は、前端部に、上述した複数の凸部４７Ａが、第１上搬送ガイド３７の後端部の複数の凹部３７Ｂに対応させて所定の間隔で設けられている。
【０２４０】
ここで、第２上搬送ガイド４７は、複数の凸部４７Ａの幅（すなわち、預払機左右方向の長さ）が個別に選定されると共に、これら複数の凸部４７Ａの間隔（又は、複数の凸部４７Ａの間の複数の凹部４７Ｂの幅）も個別に選定されている。
【０２４１】
すなわち、第２上搬送ガイド４７では、複数の凸部４７Ａの幅が、第１搬送部２８が搬送路接続位置から待避位置へ回転する際に第１上搬送ガイド３７の後端部の複数の凸部３７Ａが通る軌跡に応じて例えば、回動軸３８Ａ側のものは比較的狭く選定され、回動軸３８Ａから遠いものは比較的広く選定されている。
【０２４２】
また第２上搬送ガイド４７では、複数の凸部４７Ａの間隔が、第１搬送部２８が搬送路接続位置から待避位置へ回転する際に第１上搬送ガイド３７の後端部の複数の凸部３７Ａが通る軌跡に応じて例えば、回動軸３８Ａ側のもの同士では比較的広く選定され、回動軸３８Ａから遠いもの同士では比較的狭く選定されている。
【０２４３】
そして第２上搬送ガイド４７は、第２搬送フレーム４５に対し、前端部において少なくとも複数の凸部４７Ａをフレーム前面４５Ａの開口部４５ＡＸから預払機前方向へ突出させ、かつ後端部を第２搬送フレーム４５内に入り込ませるようにして固設されている。
【０２４４】
また第２搬送部２９において第２下搬送ガイド４６は、預払機前後方向の長さが例えば、第２上搬送ガイド４７の預払機前後方向の長さよりも長い所定長さに選定されている。
【０２４５】
そして第２下搬送ガイド４６は、前端部に、上述した複数の凸部４６Ａが、第１下搬送ガイド３６の後端部の複数の凹部３６Ｂに対応させて所定の間隔で設けられている。
【０２４６】
ここで、第２下搬送ガイド４６は、複数の凸部４６Ａの幅（すなわち、預払機左右方向の長さ）が個別に選定されると共に、これら複数の凸部４６Ａの間隔（又は、複数の凸部４６Ａの間の複数の凹部４６Ｂの幅）も個別に選定されている。
【０２４７】
すなわち、第２下搬送ガイド４６では、複数の凸部４６Ａの幅が、第１搬送部２８が搬送路接続位置から待避位置へ回転する際に第１下搬送ガイド３６の複数の凸部３６Ａが通る軌跡に応じて例えば、回動軸３８Ａ側のものは比較的狭く選定され、回動軸３８Ａから遠いものは比較的広く選定されている。
【０２４８】
また第２下搬送ガイド４６では、複数の凸部４６Ａの間隔が、第１搬送部２８が搬送路接続位置から待避位置へ回転する際に第１下搬送ガイド３６の複数の凸部３７Ａが通る軌跡に応じて例えば、回動軸３８Ａ側のもの同士では比較的広く選定され、回動軸３８Ａから遠いもの同士では比較的狭く選定されている。
【０２４９】
因みに、以下の説明では、第１搬送部２８が搬送路接続位置から待避位置へ回転する際に第１上搬送ガイド３７の複数の凸部３７Ａが通る軌跡、及び第１下搬送ガイド３６の複数の凸部３７Ａが通る軌跡を、移動軌跡とも呼ぶ。
【０２５０】
ただし、この実施の形態の場合、第１下搬送ガイド３６の後端部が第１上搬送ガイド３７の後端部と同様に形成されていることにより、第２下搬送ガイド４６の前端部は、例えば、第２上搬送ガイド４７の前端部と同様に形成されている。
【０２５１】
そして第２下搬送ガイド４６は、第２搬送フレーム４５に前端部をフレーム前面４５Ａの開口部４５ＡＸから預払機前方向へ突出させ、かつ後端部を第２搬送フレーム４５内に入り込ませるようにして固設されている。
【０２５２】
ところで、第２下搬送ガイド４６は、複数の凸部４６Ａの先端の位置と第２上搬送ガイド４７の複数の凸部４７Ａの先端の位置とを紙幣の搬送方向にずらすように、開口部４５ＡＸからの前端部の突出長さが、当該開口部４５ＡＸからの第２上搬送ガイド４７の前端部の突出長さよりも長い所定長さに選定されている。
【０２５３】
これにより第２下搬送ガイド４６は、前端部において少なくとも複数の凸部４６Ａを、第２上搬送ガイド４７の複数の凸部４７Ａよりも第１搬送部２８側（すなわち、前側）に位置させている。
【０２５４】
すなわち、第２下搬送ガイド４６は、内面において複数の凸部４６Ａよりも後側の部分を、第２上搬送ガイド４７の複数の凸部４７Ａと対向させている。
【０２５５】
これにより図９に示すように、第１搬送部２８は、搬送路接続位置で後開放端が第２搬送部２９のフレーム前面４５Ａの開口部４５ＡＸに近接した場合、第１下搬送ガイド３６の複数の凸部３６Ａを第２下搬送ガイド４６の対応する凹部４６Ｂに差し込むと共に、当該第１下搬送ガイド３６の複数の凹部３６Ｂに第２下搬送ガイド４６の対応する凸部４６Ａを入り込ませる。
【０２５６】
また第１搬送部２８は、この際、第１上搬送ガイド３７の後端部の複数の凸部３７Ａを第２上搬送ガイド４７の対応する凹部４７Ｂに差し込むと共に、当該第１上搬送ガイド３７の後端部の複数の凹部３７Ｂに第２上搬送ガイド４７の対応する凸部４７Ａを入り込ませる。
【０２５７】
このようにして第１搬送部２８は、第１下搬送ガイド３６の後端部及び第１上搬送ガイド３７の後端部を第２搬送部２９の第２下搬送ガイド４６の前端部及び第２上搬送ガイド４７の前端部と嵌合させて、第１紙幣搬送路２８Ａを第２紙幣搬送路２９Ａと接続する。
【０２５８】
そして第１搬送部２８は、上述のように第１上搬送ガイド３７の後端部の複数の凸部３７Ａを、第１下搬送ガイド３６の複数の凸部３６Ａよりも第２搬送部２９側に位置させている。
【０２５９】
また第２搬送部２９は、第２下搬送ガイド４６の複数の凸部４６Ａを、第２上搬送ガイド４７の複数の凸部４７Ａよりも第１搬送部２８側に位置させている。
【０２６０】
これにより第１搬送部２８は、第１紙幣搬送路２８Ａを第２搬送部２９の第２紙幣搬送路２９Ａと接続した場合、第１下搬送ガイド３６の複数の凸部３６Ａの先端の位置を、第２上搬送ガイド４７の複数の凸部４７Ａの先端の位置から紙幣の搬送方向へずらして離している。
【０２６１】
すなわち、第１搬送部２８は、第１紙幣搬送路２８Ａを第２搬送部２９の第２紙幣搬送路２９Ａと接続した場合、第１下搬送ガイド３６の複数の凸部３６Ａの先端を、第２上搬送ガイド４７の複数の凸部４７Ａの先端よりも前側に位置させて、当該第１下搬送ガイド３６の後端部が第２上搬送ガイド４７の前端部の真下にかからないようにしている。
【０２６２】
よって図１０（Ａ）乃至（Ｃ）に示すように、第１搬送部２８は、搬送路接続位置で第１紙幣搬送路２８Ａを第２搬送部２９の第２紙幣搬送路２９Ａと接続している状態から、左端部が持ち上げられて待避方向へ回転した場合、第１上搬送ガイド３７の後端部の複数の凸部３７Ａを第２上搬送ガイド４７の対応する凹部４７Ｂから右斜め上側に引き抜く。
【０２６３】
また第１搬送部２８は、この際、第１下搬送ガイド３６の複数の凸部３６Ａを第２下搬送ガイド４６の対応する凹部４６Ｂから右斜め上側に引き抜くものの、第１下搬送ガイド３６の複数の凸部３６Ａを第２上搬送ガイド４７の複数の凸部４７Ａに何ら接触させずに待避位置まで回転することができる。
【０２６４】
これにより第１搬送部２８は、第２装着フレーム２１と共に第２搬送部２９を第１装着フレーム１７から引き離すように移動させなくても、第１紙幣搬送路２８Ａを第２紙幣搬送路２９Ａから切り離して搬送路接続位置から待避位置へ待避することができる。
【０２６５】
さらに第１搬送部２８は、待避位置で左端部が引き下げられると、第１下搬送ガイド３６の複数の凸部３６Ａを第２上搬送ガイド４７の複数の凸部４７Ａに何ら接触させずに搬送路接続方向へ回転することができる。
【０２６６】
そして第１搬送部２８は、搬送路接続位置まで回転すると、再び第１下搬送ガイド３６の後端部及び第１上搬送ガイド３７の後端部を、第２搬送部２９の第２下搬送ガイド４６の前端部及び第２上搬送ガイド４７の前端部と嵌合させて、第１紙幣搬送路２８Ａを第２紙幣搬送路２９Ａと接続することができる。
【０２６７】
ところで、図１１に示すように、第１搬送部２８は、搬送路接続位置から待避方向へ回転する場合、第１上搬送ガイド３７の複数の凸部３７Ａのうち回動軸３８Ａから遠い凸部３７Ａほど第２上搬送ガイド４７の対応する凹部４７Ｂから、より深い角度で右斜め上側へ変位させるようにして引き抜くことができる。
【０２６８】
従って第１搬送部２８は、第１上搬送ガイド３７の複数の凸部３７Ａのうち回動軸３８Ａから遠い左縁寄りの凸部３７Ａほど例えば、その幅を比較的広げ、また間隔を比較的狭めても、当該左縁寄りの凸部３７Ａを第２上搬送ガイド４７の対応する凹部４７Ｂから回動軸３８Ａ側となる右隣の凸部４７Ａには接触させずに引き抜くことができる。
【０２６９】
また第２搬送部２９についても、第２上搬送ガイド４７の複数の凸部４７Ａのうち回動軸３８Ａから遠い左縁寄りの凸部４７Ａほど例えば、その幅を比較的広げ、また間隔を比較的狭めても、当該左縁寄りの凹部４７Ｂから第１上搬送ガイド３７の対応する凸部３７Ａを右隣の凸部４７Ａには接触させずに引き抜かせることができる。
【０２７０】
しかしながら、第１搬送部２８は、搬送路接続位置から待避方向へ回転する場合、第１上搬送ガイド３７の複数の凸部３７Ａのうち回動軸３８Ａに近い凸部３７Ａほど第２上搬送ガイド４７の対応する凹部４７Ｂから、より浅い角度で右斜め上側へ変位させるようにして引き抜くことになる。
【０２７１】
よって第１搬送部２８は、第１上搬送ガイド３７の複数の凸部３７Ａのうち回動軸３８Ａに近い右縁寄りの凸部３７Ａほど例えば、その幅を狭め、また間隔を比較的広げないと、当該右縁寄りの凸部３７Ａが第２上搬送ガイド４７の対応する凹部４７Ｂの右隣に位置する凸部４７Ａに接触して当該凹部４７Ｂからは引き抜き難くなる。
【０２７２】
また第２搬送部２９についても、第２上搬送ガイド４７の複数の凸部４７Ａのうち回動軸３８Ａに近い右縁寄りの凸部４７Ａほど例えば、その幅を狭め、また間隔を比較的広げないと、当該右縁寄りの凹部４７Ｂから第１上搬送ガイド３７の対応する凸部３７Ａを引き抜かせ難くなる。
【０２７３】
このため第１搬送部２８では、第１上搬送ガイド３７の複数の凸部３７Ａのうち回動軸３８Ａに近い右縁寄りの凸部３７Ａの幅をある程度は狭め、また間隔をある程度は広くしている。
【０２７４】
また第２搬送部２９についても、第２上搬送ガイド４７の複数の凸部４７Ａのうち回動軸３８Ａに近い右縁寄りの凸部４７Ａの幅をある程度は狭め、また間隔をある程度は広くしている。
【０２７５】
ただし、第１搬送部２８及び第２搬送部２９は、第１上搬送ガイド３７の後端部と第２上搬送ガイド４７の前端部とを嵌合させた際、当該第１上搬送ガイド３７の複数の凸部３７Ａと第２上搬送ガイド４７の複数の凸部４７Ａとの隙間がある程度以上広いと、紙幣の搬送時、その隙間に紙幣が引っ掛かって搬送し得なくなる可能性がある。
【０２７６】
従って、第２搬送部２９は、第２上搬送ガイド４７の複数の凸部４７Ａのうち、少なくとも回動軸３８Ａに近い右縁寄りの凸部４７ＡＸにおいて、第１上搬送ガイド３７の対応する凸部３７Ａの移動軌跡側となる左上隅部分が、第１搬送部２８の待避方向への回転時に、その第１上搬送ガイド３７の対応する凸部３７Ａが接触しないように適宜切り欠かれている。
【０２７７】
これにより第１搬送部２８では、例えば、第２上搬送ガイド４７の右縁寄りの凸部４７ＡＸの切欠部を利用して、第１上搬送ガイド３７の複数の凸部３７Ａのうち右縁寄りの凸部３７Ａの幅を極力広げ、また間隔を極力狭めている。
【０２７８】
また第２搬送部２９も、例えば、第２上搬送ガイド４７の複数の凸部４７Ａのうち右縁寄りの凸部４７ＡＸについては、その切欠部を利用して、幅を極力広げ、また間隔を極力狭めている。
【０２７９】
このようにして第１搬送部２８及び第２搬送部２９は、第１上搬送ガイド３７の後端部と第２上搬送ガイド４７の前端部とを嵌合させた際、当該第１上搬送ガイド３７の複数の凸部３７Ａと第２上搬送ガイド４７の複数の凸部４７Ａとの隙間を極力狭めて、紙幣の搬送時に、その隙間に紙幣が引っ掛かって搬送し得なくなることを防止している。
【０２８０】
また第１搬送部２８は、第１下搬送ガイド３６の複数の凸部３６Ａのうち、少なくとも回動軸３８Ａに近い右縁寄りの凸部３６Ａにおいて、第１搬送部２８の待避方向への回転時に第２下搬送ガイド４６の対応する凸部４６Ａ側となる右下隅部分が、当該第１搬送部２８の待避方向への回転時に、その第２下搬送ガイド４６の対応する凸部４６Ａが接触しないように適宜切り欠かれている。
【０２８１】
これにより第１搬送部２８では、例えば、第１下搬送ガイド３６の右縁寄りの凸部３６Ａの切欠部を利用して、当該第１下搬送ガイド３６の複数の凸部３６Ａのうち右縁寄りの凸部３６Ａの幅を極力広げ、また間隔を極力狭めている。
【０２８２】
また第２搬送部２９も、例えば、第２下搬送ガイド４６の複数の凸部４６Ａのうち右縁寄りの凸部４６Ａについては、第１下搬送ガイド３６の右縁寄りの凸部３６Ａの切欠部を利用して、幅を極力広げ、また間隔を極力狭めている。
【０２８３】
このようにして第１搬送部２８及び第２搬送部２９は、第１下搬送ガイド３６の後端部と第２下搬送ガイド４６の前端部とを嵌合させた際、当該第１下搬送ガイド３６の複数の凸部３６Ａと第２下搬送ガイド４６の複数の凸部４６Ａとの隙間を極力狭めて、紙幣の搬送時に、その隙間に紙幣が引っ掛かって搬送し得なくなることを防止している。
【０２８４】
（１−４）第１の実施の形態の動作及び効果
以上の構成において、現金自動預払機１では、複数の紙幣収納庫１８乃至２０が着脱可能に装着される第１装着フレーム１７の上端に第１搬送部２８を、その第１搬送フレーム３５のフレーム下面３５Ａの右縁部に対向する搬送方向と平行な回動軸３８Ａを中心にして回動可能に設けるようにした。
【０２８５】
そして現金自動預払機１では、第１搬送部２８の第１搬送フレーム３５に、第１紙幣搬送路２８Ａを形成して第２紙幣搬送路２９Ａと接続するための一対の平行な第１下搬送ガイド３６及び第１上搬送ガイド３７を、複数の凸部３６Ａ、３７Ａが所定の間隔で設けられた後端部を後開放端から突出させて配置するようにした。
【０２８６】
ただし、現金自動預払機１では、第１搬送部２８において第１上搬送ガイド３７の複数の凸部３７Ａを、第１下搬送ガイド３６の複数の凸部３６Ａよりも第２搬送部２９側にずらして位置させるようにした。
【０２８７】
また現金自動預払機１では、第１装着フレーム１７の後側に補充回収庫２２が着脱可能に装着される第２装着フレーム２１を配置すると共に、当該第２装着フレーム２１の前端に第２搬送部２９を、その第２搬送フレーム４５のフレーム前面４５Ａの開口部４５ＡＸを第１搬送部２８が搬送路接続位置に位置する場合に第１搬送フレーム３５の後開放端と対向するように設けるようにした。
【０２８８】
そして現金自動預払機１では、第２搬送部２９の第２搬送フレーム４５に、第２紙幣搬送路２９Ａを形成して第１紙幣搬送路２８Ａと接続するための一対の平行な第２下搬送ガイド４６及び第２上搬送ガイド４７を、複数の凸部４６Ａ、４７Ａが所定の間隔で設けられた前端部を開口部４５ＡＸから突出させて配置するようにした。
【０２８９】
ただし、現金自動預払機１では、第２搬送部２９において第２下搬送ガイド４６の複数の凸部４６Ａを、第２上搬送ガイド４７の複数の凸部４７Ａよりも第１搬送部２８側にずらして位置させるようにした。
【０２９０】
そのうえで現金自動預払機１は、第１搬送部２８を、回動軸３８Ａを中心にして搬送路接続位置まで回転させた場合、第１下搬送ガイド３６の後端部及び第１上搬送ガイド３７の後端部を、第２搬送部２９の第２下搬送ガイド４６の前端部及び第２上搬送ガイド４７の前端部と嵌合させて、第１紙幣搬送路２８Ａを第２紙幣搬送路２９Ａと接続する。
【０２９１】
従って現金自動預払機１は、第１紙幣搬送路２８Ａを第２紙幣搬送路２９Ａと接続している場合、第１下搬送ガイド３６の後端部を、第２紙幣搬送路２９Ａから第１紙幣搬送路２８Ａを切り離す際に回転する側に位置する第２上搬送ガイド４７の前端部から搬送方向へずらすようにして離すことができる。
【０２９２】
よって現金自動預払機１は、第２紙幣搬送路２９Ａから第１紙幣搬送路２８Ａを切り離すために第１搬送部２８を、フレーム下面３５Ａの右縁部と対向する搬送方向と平行な回動軸３８Ａを中心にして待避方向へ回転させても、第２上搬送ガイド４７の複数の凸部４７Ａに第１下搬送ガイド３６の複数の凸部３６Ａが引っ掛かることを回避することができる。
【０２９３】
以上の構成によれば、現金自動預払機１は、それぞれ後端部に複数の凸部３６Ａ、３７Ａが所定の間隔で設けられ、第１紙幣搬送路２８Ａを形成する一対の平行な第１下搬送ガイド３６及び第１上搬送ガイド３７を、当該第１下搬送ガイド３６の外面の右縁側に位置する搬送方向と平行な回動軸３８Ａを中心にして回動可能に設けると共に、それぞれ前端部に複数の凸部４６Ａ、４７Ａが所定の間隔で設けられ、第２紙幣搬送路２９Ａを形成する一対の平行な第２下搬送ガイド４６及び第２上搬送ガイド４７を設けるようにして、第１上搬送ガイド３７の複数の凸部３７Ａを第１下搬送ガイド３６の複数の凸部３６Ａよりも、第２下搬送ガイド４６及び第２上搬送ガイド４７側へずらして位置させると共に、第２下搬送ガイド４６の複数の凸部４６Ａを第２上搬送ガイド４７の複数の凸部４７Ａよりも第１下搬送ガイド３６及び第１上搬送ガイド３７側へずらして位置させ、第１下搬送ガイド３６及び第１上搬送ガイド３７を、回動軸３８Ａを中心にして搬送路接続位置まで回転させた場合、当該第１下搬送ガイド３６の後端部及び第１上搬送ガイド３７の後端部を、第２下搬送ガイド４６の前端部及び第２上搬送ガイド４７の前端部と嵌合させて、第１紙幣搬送路２８Ａを第２紙幣搬送路２９Ａと接続するようにした。
【０２９４】
これにより現金自動預払機１は、第１紙幣搬送路２８Ａを第２紙幣搬送路２９Ａと接続している場合、第１下搬送ガイド３６の後端部を第２上搬送ガイド４７の前端部から搬送方向へずらして離すことができ、その結果、第２紙幣搬送路２９Ａから第１紙幣搬送路２８Ａを切り離すために第１下搬送ガイド３６及び第１上搬送ガイド３７を、回動軸３８Ａを中心にして待避方向へ回転させても、第２上搬送ガイド４７の複数の凸部４７Ａに第１下搬送ガイド３６の複数の凸部３６Ａが引っ掛かることを回避することができる。
【０２９５】
よって現金自動預払機１は、第１下搬送ガイド３６及び第１上搬送ガイド３７（すなわち、第１搬送部２８）を搬送路接続位置から的確に待避させることができる。
【０２９６】
また現金自動預払機１は、第１下搬送ガイド３６の後端部及び第１上搬送ガイド３７の後端部にそれぞれ設ける複数の凸部３６Ａ、３７Ａの幅及び間隔を、回動軸３８Ａからの距離に応じて適宜選定するようにした。
【０２９７】
これに加えて現金自動預払機１は、第２下搬送ガイド４６の前端部及び第２上搬送ガイド４７の前端部にそれぞれ設ける凸部４６Ａ、４７Ａの幅及び間隔を、第１下搬送ガイド３６及び第１上搬送ガイド３７が回動軸３８Ａを中心にして搬送路接続位置から待避方向へ回転する際の第１下搬送ガイド３６及び第１上搬送ガイド３７の複数の凸部３６Ａ、３７Ａの移動軌跡に応じて適宜選定するようにした。
【０２９８】
従って現金自動預払機１は、第２紙幣搬送路２９Ａから第１紙幣搬送路２８Ａを切り離すために第１下搬送ガイド３６及び第１上搬送ガイド３７を、回動軸３８Ａを中心にして搬送路接続位置から待避方向へ回転させる際、第２下搬送ガイド４６の複数の凸部４６Ａに第１下搬送ガイド３６の複数の凸部３６Ａが引っ掛かることを防止し得ると共に、第２上搬送ガイド４７の複数の凸部４７Ａに第１上搬送ガイド３７の複数の凸部３７Ａが引っ掛かることを防止することができる。
【０２９９】
よって現金自動預払機１は、第１下搬送ガイド３６及び第１上搬送ガイド３７を、回動軸３８Ａを中心にして搬送路接続位置から待避方向へ回転させる際、第２下搬送ガイド４６の複数の凹部４６Ｂから第１下搬送ガイド３６の複数の凸部３６Ａを的確に引き抜くと共に、第２上搬送ガイド４７の複数の凹部４７Ｂから第１上搬送ガイド３７の複数の凸部３７Ａを的確に引き抜いて、第２紙幣搬送路２９Ａから第１紙幣搬送路２８Ａを確実に切り離すことができる。
【０３００】
これにより現金自動預払機１は、第１下搬送ガイド３６及び第１上搬送ガイド３７（すなわち、第１搬送部２８）を搬送路接続位置から、より確実に待避させることができる。
【０３０１】
さらに現金自動預払機１は、第２上搬送ガイド４７の前端部に設ける複数の凸部４７Ａの少なくとも一部の凸部４７ＡＸにおいて、第１上搬送ガイド３７の対応する凸部３７Ａの移動軌跡側となる左上隅部分を、当該第１下搬送ガイド３６及び第１上搬送ガイド３７の待避方向への回転時に、その第１上搬送ガイド３７の対応する凸部３７Ａが接触しないように適宜切り欠くようにした。
【０３０２】
また現金自動預払機１は、第１下搬送ガイド３６の後端部に設ける複数の凸部３６Ａの少なくとも一部の凸部３６Ａにおいて、第１下搬送ガイド３６及び第１上搬送ガイド３７の待避方向への回転時に第２下搬送ガイド４６の対応する凸部４６Ａ側となる右下隅部分を、当該第１下搬送ガイド３６及び第１上搬送ガイド３７の待避方向への回転時に、その第２下搬送ガイド４６の対応する凸部４６Ａが接触しないように適宜切り欠くようにした。
【０３０３】
従って現金自動預払機１は、第１下搬送ガイド３６及び第１上搬送ガイド３７において、第１下搬送ガイド３６及び第２上搬送ガイド４７の凸部３６Ａ、４７ＡＸの切欠部を利用して、複数の凸部３６Ａ、３７Ａの幅を極力広げ、また間隔を極力狭めることができる。
【０３０４】
また現金自動預払機１は、第２下搬送ガイド４６及び第２上搬送ガイド４７においても、第１下搬送ガイド３６及び第２上搬送ガイド４７の凸部３６Ａ、４７ＡＸの切欠部を利用して、複数の凸部４６Ａ、４７ＡＸ、４７Ａの幅を極力広げ、また間隔を極力狭めることができる。
【０３０５】
これにより現金自動預払機１は、第１下搬送ガイド３６の後端部及び第１上搬送ガイド３７の後端部を第２下搬送ガイド４６の前端部及び第２上搬送ガイド４７の前端部と嵌合させて第１紙幣搬送路２８Ａを第２紙幣搬送路２９Ａと接続した場合、第１下搬送ガイド３６の複数の凸部３６Ａと第２下搬送ガイド４６の複数の凸部４６Ａとの隙間を極力狭めることができると共に、第１上搬送ガイド３７の複数の凸部３７Ａと第２上搬送ガイド４７の複数の凸部４７Ａとの隙間を極力狭めることができる。
【０３０６】
よって現金自動預払機１は、第１紙幣搬送路２８Ａ及び第２紙幣搬送路２９Ａを介して紙幣を搬送する場合、当該第１紙幣搬送路２８Ａ及び第２紙幣搬送路２９Ａの接続部分で紙幣が引っ掛かって搬送し得なくなることを防止することができる。
【０３０７】
（２）第２の実施の形態
（２−１）現金自動預払機の外観構成
次いで、第２の実施の形態による現金自動預払機７０（図１）について説明する。ただし、第２の実施の形態による現金自動預払機７０は、第１の実施の形態による現金自動預払機１（図１）と同様の外観構成を有している。
【０３０８】
よって、第２の実施の形態による現金自動預払機７０の外観構成については、図１を用いた上述の説明を参照することとし、ここでの説明は省略する。
【０３０９】
（２−２）現金自動預払機の内部構成
次いで、図２との対応部分に同一符号を付した図１２を用いて、第２の実施の形態による現金自動預払機７０の内部構成について説明する。
【０３１０】
図１２に示すように、第２の実施の形態による現金自動預払機７０の内部は、第１紙幣搬送路７１Ａを形成する第１搬送部７１と、第２紙幣搬送路７２Ａを形成する第２搬送部７２との構成を除いて上述した第１の実施の形態による現金自動預払機１の内部と同様に構成されている。
【０３１１】
よって、以下には、第２の実施の形態による現金自動預払機７０に設けられた第１搬送部７１及び第２搬送部７２の構成について説明する。
【０３１２】
（２−３）第１搬送部及び第２搬送部の構成
図７との対応部分に同一符号を付した図１３及び図１４に示すように、第１搬送部７１は、例えば、上述した第１の実施の形態による第１搬送フレーム３５と基本的には同様に形成された、預払機前後方向に長い略偏平箱型の第１搬送フレーム７５を有している。
【０３１３】
そして第１搬送部７１は、上述した第１の実施の形態による第１搬送部２８と同様に、第１紙幣搬送路７１Ａによる紙幣の搬送方向をヒンジ部３８の回動軸３８Ａと平行にした状態で、当該ヒンジ部３８の他方の回動片が第１搬送フレーム７５のフレーム下面７５Ａの右縁部に接合されている。
【０３１４】
これにより第１搬送部７１は、第１装着フレーム１７の上端に、フレーム下面７５Ａの右縁部と対向する預払機前後方向（すなわち、紙幣の搬送方向）と平行な回動軸３８Ａを中心にして、搬送路接続方向及び待避方向へ回動可能に設けられている。
【０３１５】
すなわち、第１搬送部７１は、第１装着フレーム１７の上端に、搬送路接続位置から待避位置までの略９０度の範囲で回動可能に設けられている。
【０３１６】
また第１搬送部７１において第１搬送フレーム７５には、後開放端付近に、第１紙幣搬送路７１Ａを形成し、当該第１紙幣搬送路７１Ａを第２紙幣搬送路７２Ａと接続するための硬質な略四角平板状の一対の第１下搬送ガイド７６及び第１上搬送ガイド７７が配置されている。
【０３１７】
第１下搬送ガイド７６は、預払機前後方向の長さが例えば、第１の実施の形態による第１下搬送ガイド３６と同様の所定長さに選定されている。
【０３１８】
また第１下搬送ガイド７６は、後端部が、複数の凸部７６Ａを預払機左右方向に沿って所定の等間隔で設けるようにして櫛歯状に形成されている。
【０３１９】
ここで、第１下搬送ガイド７６は、後端部に設けられる複数の凸部７６Ａの幅（すなわち、預払機左右方向の長さ）が、それぞれ比較的広い等しい幅に選定されている。
【０３２０】
また第１下搬送ガイド７６は、複数の凸部７６Ａの間の複数の凹部７６Ｂの幅（すなわち、預払機左右方向の長さ）がそれぞれ等しいものの、当該凸部７６Ａの幅よりも僅かに広く選定されている。
【０３２１】
そして第１下搬送ガイド７６は、第１搬送フレーム７５に対し、外面をフレーム底面に近接させて平行にして、後端部において少なくとも複数の凸部７６Ａを後開放端から預払機後方向へ突出させ、かつ前端部を第１搬送フレーム７５内に入り込ませるようにして固設されている。
【０３２２】
第１上搬送ガイド７７は、預払機前後方向の長さが例えば、第１の実施の形態による第１上搬送ガイド３７と同様の所定長さに選定されている。
【０３２３】
また第１上搬送ガイド７７は、後端部が、複数の凸部７７Ａを預払機左右方向に沿って所定の等間隔で設けるようにして櫛歯状に形成されている。
【０３２４】
ここで、第１上搬送ガイド７７は、例えば、これら複数の凸部７７Ａの幅と、当該複数の凸部７７Ａの間の複数の凹部７７Ｂの幅とが、第１下搬送ガイド７６の場合と同様に選定されている。
【０３２５】
すなわち、この実施の形態の場合、第１上搬送ガイド７７の後端部は、例えば、第１下搬送ガイド７６の後端部と同様に形成されている。
【０３２６】
ところで、第１搬送フレーム７５は、上述した第１の実施の形態による第１搬送フレーム３５と同様に第１回動軸５４が取り付けられると共に、可動搬送ガイド５５が回動可能に設けられている。
【０３２７】
よって第１上搬送ガイド７７は、上述した第１の実施の形態による第１上搬送ガイド３７と同様に、前端部に可動搬送ガイド５５の後端部の複数の凸部５５Ａの幅と等しい幅を有する複数の凸部７７Ｃが、当該可動搬送ガイド５５の後端部の複数の凹部５５Ｂに対応させて所定の等間隔で設けられている。
【０３２８】
また第１上搬送ガイド７７は、前端部の複数の凸部７７Ｃに、円形の軸挿入孔部が預払機左方向に沿って順に穿設されている。
【０３２９】
そして第１上搬送ガイド７７は、内面を第１下搬送ガイド７６の内面側に向けた状態で前端部の複数の凸部７７Ｃの軸挿入孔部に第１回動軸５４が挿入され、これら複数の凸部７７Ｃ、及び当該複数の凸部７７Ｃの間の複数の凹部７７Ｄを、可動搬送ガイド５５の後端部の複数の凹部５５Ｂ及び複数の凸部５５Ａと嵌合させている。
【０３３０】
これにより第１上搬送ガイド７７は、第１搬送フレーム７５に搬送直交方向と平行な第１回動軸５４を介して、図中に矢印ｅ１で示す一回転方向、及びこれとは逆の他回転方向へ回動可能に設けられている。
【０３３１】
これに加えて第１上搬送ガイド７７は、外面の例えば、左端部に角柱状の軸支持部８０が突設されている。
【０３３２】
また第１上搬送ガイド７７は、軸支持部８０の左面の所定位置に、円柱状の係合軸８１が、その先端部を当該第１上搬送ガイド７７の左側面よりも左側に突出させるようにして植設されている。
【０３３３】
さらに第１搬送フレーム７５は、左側板の外面７５Ｂにおいて例えば、後上隅部にソレノイド配置板７５ＢＸが当該外面７５Ｂから左側へ突出するように垂設されている。
【０３３４】
そして第１搬送フレーム７５は、ソレノイド配置板７５ＢＸの上面にソレノイド（以下、これを第１ソレノイドとも呼ぶ）８２の本体部８２Ａが、その一端を預払機後方向へ向けて配置されている。
【０３３５】
この場合、第１ソレノイド８２は、本体部８２Ａの一端に例えば、略Ｌ字状の出力軸８２Ｂが、その先端部を第１搬送フレーム７５の上開放端側へ向けた状態で当該本体部８２Ａからの突出量を変化させるようにして伸縮可能に設けられている。
【０３３６】
また第１ソレノイド８２の出力軸８２Ｂは、先端近傍から当該先端部と根元部との境界部分までに亘り鈍角に屈曲するような略Ｊ字状の係合孔部８２ＢＸが穿設され、当該係合孔部８２ＢＸに係合軸８１の先端部が挿入されている。
【０３３７】
因みに、以下の説明では、出力軸８２Ｂに穿設された係合孔部８２ＢＸにおいて当該出力軸８２Ｂの先端側の一端を、孔部一端とも呼び、出力軸８２Ｂの根元側の他端を孔部他端とも呼ぶ。
【０３３８】
第１ソレノイド８２は、上述したように制御部１０が検出部５０を介してユニット筐体１２に第１装着フレーム１７が収納されたことを検出して第１搬送部７１への電力の供給を開始すると、その電力を受けて動作し始める。
【０３３９】
この際、第１ソレノイド８２は、本体部８２Ａから出力軸８２Ｂを押し出すようにして伸ばす。これにより第１ソレノイド８２は、係合孔部８２ＢＸによって係合軸８１を預払機後方向へ押すようにして、当該係合軸８１を係合孔部８２ＢＸ内で孔部他端側へ移動させながら、第１上搬送ガイド７７を、第１回動軸５４を中心にして他回転方向へ回転させる。
【０３４０】
第１ソレノイド８２は、このように電力の供給を受けて動作すると、例えば、出力軸８２Ｂを最終的には目一杯伸ばす。
【０３４１】
これにより第１ソレノイド８２は、係合孔部８２ＢＸ内で係合軸８１を孔部他端に接触又は近接させて第１上搬送ガイド７７の他回転方向への回転を停止させ、当該第１上搬送ガイド７７を、その内面を第１下搬送ガイド７６の内面と所定の間隙を介して平行にする。
【０３４２】
そして第１ソレノイド８２は、ユニット筐体１２に第１装着フレーム１７が収納されている間は、電力の供給を受けて動作し続けて出力軸８２Ｂを目一杯伸ばしたままにする。
【０３４３】
よって第１ソレノイド８２は、ユニット筐体１２に第１装着フレーム１７が収納されている間は、上述した第１の実施の形態による第１上搬送ガイド３７と同様に、第１上搬送ガイド７７を第１下搬送ガイド７６と平行にして当該第１上搬送ガイド７７の後端部を後開放端から預払機後方向へ突出させている。
【０３４４】
また第１ソレノイド８２は、上述したように制御部１０が検出部５０を介してユニット筐体１２から第１装着フレーム１７が引き出されたことを検出して第１搬送部７１への電力の供給を停止すると、これに応じて動作を停止させる。
【０３４５】
この際、第１ソレノイド８２は、本体部８２Ａに内蔵されているばね（図示せず）によって当該本体部８２Ａに出力軸８２Ｂを引き込むようにして縮める。
【０３４６】
これにより第１ソレノイド８２は、係合孔部８２ＢＸによって係合軸８１を預払機前方向へ引くようにして、当該係合軸８１を係合孔部８２ＢＸ内で孔部一端側へ移動させながら、第１上搬送ガイド７７を、第１回動軸５４を中心にして一回転方向へ回転させる。
【０３４７】
第１ソレノイド８２は、このように電力の供給の停止により動作を停止させると、例えば、出力軸８２Ｂを最終的には動作停止時の規定長さまで縮める。
【０３４８】
これにより第１ソレノイド８２は、係合孔部８２ＢＸ内で係合軸８１を孔部一端に接触又は近接させて第１上搬送ガイド７７の一回転方向への回転を停止させ、当該第１上搬送ガイド７７を、その後端部を持ち上げて内面を後斜め下側に向けるように傾斜させる。
【０３４９】
そして第１ソレノイド８２は、ユニット筐体１２から第１装着フレーム１７が引き出されている間は、電力の供給が停止していることにより動作を停止させた状態になり、出力軸８２Ｂを動作停止時の規定長さまで縮めたままにする。
【０３５０】
よって第１ソレノイド８２は、ユニット筐体１２から第１装着フレーム１７が引き出されている間は、第１上搬送ガイド７７を、その後端部を持ち上げるようにして傾斜させている。
【０３５１】
このようにして第１上搬送ガイド７７は、搬送直交方向と平行な第１回動軸５４を中心にして、内面を第１下搬送ガイド７６の内面と所定の間隙を介して平行にして後端部を後開放端から預払機後方向へ突出させた位置から、当該内面を第１下搬送ガイド７６の内面から引き離すようにして後斜め下側に向ける位置までの所定の範囲で一回転方向及び他回転方向へ回動することができる。
【０３５２】
因みに、第１上搬送ガイド７７が内面を第１下搬送ガイド７６の内面と平行にして後端部を後開放端から預払機後方向へ突出させる位置は、後述するように当該第１上搬送ガイド７７が第１下搬送ガイド７６との間に第１紙幣搬送路７１Ａを形成して、後端部を第２上搬送ガイドの前端部と嵌合させるための位置である。
【０３５３】
従って、以下の説明では、第１上搬送ガイド７７が内面を第１下搬送ガイド７６の内面と平行にして後端部を後開放端から預払機後方向へ突出させる位置を、第１ガイド嵌合位置とも呼ぶ。
【０３５４】
そして、以下の説明では、第１上搬送ガイド７７が内面を第１下搬送ガイド７６の内面と平行にして後端部を後開放端から預払機後方向へ突出させるときの当該第１上搬送ガイド７７の姿勢を、第１ガイド嵌合姿勢とも呼ぶ。
【０３５５】
また第１上搬送ガイド７７が内面を第１下搬送ガイド７６の内面から引き離すようにして後斜め下側に向ける位置は、後述するように当該第１上搬送ガイド７７が後端部を第２上搬送ガイドの外面側へ変位させて当該第２上搬送ガイドの前端部から離隔させる位置である。
【０３５６】
従って、以下の説明では、第１上搬送ガイド７７が内面を第１下搬送ガイド７６の内面から引き離すようにして後斜め下側に向ける位置を、第１ガイド離隔位置とも呼ぶ。
【０３５７】
そして、以下の説明では、第１上搬送ガイド７７が内面を第１下搬送ガイド７６の内面から引き離すようにして後斜め下側に向けるときの当該第１上搬送ガイド７７の姿勢を、第１ガイド離隔姿勢とも呼ぶ。
【０３５８】
なお、以下の説明では、第１上搬送ガイド７７が、その位置を第１ガイド離隔位置へ変位させるための図中に矢印ｅ１で示す一回転方向を、ガイド離隔方向とも呼ぶ。
【０３５９】
また、以下の説明では、第１上搬送ガイド７７が、その位置を第１ガイド嵌合位置へ変位させるための他回転方向（すなわち、ガイド離隔方向とは逆の他回転方向）を、ガイド嵌合方向とも呼ぶ。
【０３６０】
ところで、第１上搬送ガイド７７は、第１ガイド嵌合位置へ変位した場合の後開放端からの後端部の突出長さが、当該後端部の複数の凸部７７Ａの先端の位置を第１下搬送ガイド７６の複数の凸部７６Ａの先端の位置から搬送方向にずらすように、後開放端からの第１下搬送ガイド７６の後端部の突出長さよりも長い所定長さに選定されている。
【０３６１】
これにより第１上搬送ガイド７７は、第１ガイド嵌合位置へ変位した場合、上述した第１の実施の形態の場合と同様に、後端部において少なくとも複数の凸部７７Ａを、第１下搬送ガイド７６の後端部の複数の凸部７６Ａよりも第２搬送部７２側（すなわち、後側）に位置させている。
【０３６２】
そして第１下搬送ガイド７６及び第１上搬送ガイド７７は、それぞれ横幅（すなわち、預払機左右方向の長さ）が、上述した第１の実施の形態による第１下搬送ガイド３６及び第１上搬送ガイド３７と同様に、第１搬送フレーム７５の左側板の内面から右側板の内面までの長さよりも僅かに短いものの、紙幣の長辺の長さ以上の所定長さに選定されている。
【０３６３】
よって第１下搬送ガイド７６は、左側面及び右側面を預払機前後方向と平行にして、第１搬送フレーム７５の左側板の内面及び右側板の内面に近接させている。
【０３６４】
また第１上搬送ガイド７７は、左側面及び右側面を預払機前後方向と平行にして、第１ガイド嵌合位置へ変位した場合には当該左側面及び右側面を第１搬送フレーム７５の左側板の内面及び右側板の内面に近接させている。
【０３６５】
これにより第１搬送部７１は、第１上搬送ガイド７７が第１ガイド嵌合位置へ変位した場合、第１下搬送ガイド７６及び第１上搬送ガイド７７の間に、紙幣を預払機前後方向へ搬送するための（すなわち、搬送用に通すための）第１紙幣搬送路７１Ａを形成している。
【０３６６】
一方、図１５及び図１６に示すように、第２搬送部７２は、例えば、上述した第１の実施の形態による第２搬送フレーム４５（図４）と基本的には同様に形成された、預払機上下方向に長い略偏平箱型の第２搬送フレーム８５を有している。
【０３６７】
そして第２搬送部７２は、上述した第１の実施の形態による第２搬送部２９と同様に、第２装着フレーム２１の前端に、第２搬送フレーム８５のフレーム前面８５Ａの開口部８５ＡＸを、第１搬送部７１が搬送路接続位置に位置しているときの第１搬送フレーム７５の後開放端と対向させるようにして設けられている。
【０３６８】
また第２搬送部７２において第２搬送フレーム８５には、フレーム前面８５Ａの開口部８５ＡＸに、第２紙幣搬送路７２Ａを形成し、当該第２紙幣搬送路７２Ａを第１紙幣搬送路７１Ａと接続するための硬質な略四角平板状の一対の第２下搬送ガイド８６及び第２上搬送ガイド８７が配置されている。
【０３６９】
第２上搬送ガイド８７は、預払機前後方向の長さが例えば、第１の実施の形態による第２上搬送ガイド４７と同様の所定長さに選定されている。
【０３７０】
そして第２上搬送ガイド８７は、前端部が、複数の凸部８７Ａを第１上搬送ガイド７７の後端部の複数の凹部７７Ｂに対応させて預払機左右方向に沿って所定の等間隔で設けるようにして櫛歯状に形成されている。
【０３７１】
ここで、第２上搬送ガイド８７は、前端部に設けられる複数の凸部８７Ａの幅（すなわち、預払機左右方向の長さ）が、例えば、第１上搬送ガイド７７の後端部の複数の凸部７７Ａと同様に、それぞれ比較的広い等しい幅に選定されている。
【０３７２】
また第２上搬送ガイド８７は、複数の凸部８７Ａの間の複数の凹部８７Ｂの幅（すなわち、預払機左右方向の長さ）がそれぞれ等しいものの、当該凸部８７Ａの幅よりも僅かに広く選定されている。
【０３７３】
そして第２上搬送ガイド８７は、第２搬送フレーム８５に対し、前端部において少なくとも複数の凸部８７Ａをフレーム前面８５Ａの開口部８５ＡＸから預払機前方向へ突出させ、かつ後端部を第２搬送フレーム８５内に入り込ませるようにして固設されている。
【０３７４】
また第２下搬送ガイド８６は、預払機前後方向の長さが例えば、第２上搬送ガイド８７の預払機前後方向の長さよりも短い所定長さに選定されている。
【０３７５】
そして第２下搬送ガイド８６は、前端部が、複数の凸部８６Ａを第１下搬送ガイド７６の後端部の複数の凹部７６Ｂに対応させて預払機左右方向に沿って所定の等間隔で設けるようにして櫛歯状に形成されている。
【０３７６】
ここで、第２下搬送ガイド８６は、前端部に設けられる複数の凸部８６Ａの幅（すなわち、預払機左右方向の長さ）が、それぞれ比較的広い等しい幅に選定されている。
【０３７７】
また第２下搬送ガイド８６は、複数の凸部８６Ａの間の複数の凹部８６Ｂの幅（すなわち、預払機左右方向の長さ）がそれぞれ等しいものの、当該凸部８６Ａの幅よりも僅かに広く選定されている。
【０３７８】
ただし、この実施の形態の場合、第１下搬送ガイド７６の後端部が第１上搬送ガイド７７の後端部と同様に形成されていることにより、第２下搬送ガイド８６の前端部は、例えば、第２上搬送ガイド８７の前端部と同様に形成されている。
【０３７９】
さらに第２下搬送ガイド８６は、後端部にそれぞれ等しい幅を有する複数の凸部８６Ｃが預払機左方向に沿って所定の等間隔で設けられ、これら複数の凸部８６Ｃに例えば、円形の軸挿入孔部が預払機左方向に沿って順に穿設されている。
【０３８０】
これに加えて第２搬送フレーム８５は、左側板の内面の上端部及び右側板の内面の上端部において開口部８５ＡＸの下縁寄りの所定の対向位置に一対の軸取付孔部が穿設されている。
【０３８１】
また第２搬送フレーム８５は、一対の軸取付孔部に例えば、円柱状の回動軸（以下、これを第２回動軸とも呼ぶ）９０が、その長手方向を預払機左右方向（すなわち、搬送直交方向でもある）と平行にして取り付けられている。
【０３８２】
そして第２下搬送ガイド８６は、その内面を上側に向けた状態で、前端部をフレーム前面８５Ａの開口部８５ＡＸから預払機前方向へ突出させ、かつ後端部を第２搬送フレーム８５内に入り込ませるようにして、後端部の複数の凸部８６Ｃの軸挿入孔部に第２回動軸９０が挿入されている。
【０３８３】
これにより第２下搬送ガイド８６は、第２搬送フレーム８５に搬送直交方向と平行な第２回動軸９０を介してガイド離隔方向及びガイド嵌合方向へ回動可能に設けられている。
【０３８４】
これに加えて第２下搬送ガイド８６は、外面の例えば、左端部に角柱状の軸支持部９１が突設されている。
【０３８５】
また第２下搬送ガイド８６は、軸支持部９１の左面の所定位置に、円柱状の係合軸９２が、その先端部を当該第２下搬送ガイド８６の左側面よりも左側に突出させるようにして植設されている。
【０３８６】
さらに第２搬送フレーム８５は、左側板の外面８５Ｂにおいて後上部の所定位置にソレノイド配置板８５ＢＸが当該外面８５Ｂから左側へ突出するように垂設されている。
【０３８７】
そして第２搬送フレーム８５は、ソレノイド配置板８５ＢＸの上面に、上述した第１ソレノイド８２と同様構成のソレノイド（以下、これを第２ソレノイドとも呼ぶ）９３において本体部９３Ａが、その一端を預払機前方向へ向けて配置されている。
【０３８８】
この場合、第２ソレノイド９３は、略Ｌ字状の出力軸９３Ｂの先端部を預払機下方向へ向けており、略Ｊ字状の係合孔部９３ＢＸに係合軸９２の先端部が挿入されている。
【０３８９】
因みに、以下の説明では、出力軸９３Ｂに穿設された係合孔部９３ＢＸについても、当該出力軸９３Ｂの先端側の一端を、孔部一端とも呼び、出力軸９３Ｂの根元側の他端を孔部他端とも呼ぶ。
【０３９０】
第２ソレノイド９３は、上述したように制御部１０が検出部５０を介してユニット筐体１２に第２装着フレーム２１と共に第１装着フレーム１７が収納されたことを検出して第２搬送部７２への電力の供給を開始すると、その電力を受けて動作し始める。
【０３９１】
この際、第２ソレノイド９３は、本体部９３Ａから出力軸９３Ｂを押し出すようにして伸ばす。これにより第２ソレノイド９３は、係合孔部９３ＢＸによって係合軸９２を預払機前方向へ押すようにして、当該係合軸９２を係合孔部９３ＢＸ内で孔部他端側へ移動させながら、第２下搬送ガイド８６を、第２回動軸９０を中心にしてガイド嵌合方向へ回転させる。
【０３９２】
第２ソレノイド９３は、このように電力の供給を受けて動作すると、例えば、出力軸９３Ｂを最終的には目一杯伸ばす。
【０３９３】
これにより第２ソレノイド９３は、係合孔部９３ＢＸ内で係合軸９２を孔部他端に接触又は近接させて第２下搬送ガイド８６のガイド嵌合方向への回転を停止させ、当該第２下搬送ガイド８６を、その内面を第２上搬送ガイド８７の内面と所定の間隙を介して平行にする。
【０３９４】
そして第２ソレノイド９３は、ユニット筐体１２に第２装着フレーム２１と共に第１装着フレーム１７が収納されている間は、電力の供給を受けて動作し続けて出力軸９３Ｂを目一杯伸ばしたままにする。
【０３９５】
よって第２ソレノイド９３は、ユニット筐体１２に第２装着フレーム２１と共に第１装着フレーム１７が収納されている間は、上述した第１の実施の形態による第２下搬送ガイド４６と同様に、第２下搬送ガイド８６を第２上搬送ガイド８７と平行にして当該第２下搬送ガイド８６の前端部を開口部８５ＡＸから預払機前方向へ突出させている。
【０３９６】
また第２ソレノイド９３は、上述したように制御部１０が検出部５０を介してユニット筐体１２から第２装着フレーム２１と共に第１装着フレーム１７が引き出されたことを検出して第２搬送部７２への電力の供給を停止すると、これに応じて動作を停止させる。
【０３９７】
この際、第２ソレノイド９３は、本体部９３Ａに内蔵されているばね（図示せず）によって当該本体部９３Ａに出力軸９３Ｂを引き込むようにして縮める。
【０３９８】
これにより第２ソレノイド９３は、係合孔部９３ＢＸによって係合軸９２を預払機後方向へ引くようにして、当該係合軸９２を係合孔部９３ＢＸ内で孔部一端側へ移動させながら、第２下搬送ガイド８６を、第２回動軸９０を中心にしてガイド離隔方向へ回転させる。
【０３９９】
第２ソレノイド９３は、このように電力の供給の停止により動作を停止させると、例えば、出力軸９３Ｂを最終的には動作停止時の規定長さまで縮める。
【０４００】
これにより第２ソレノイド９３は、係合孔部９３ＢＸ内で係合軸９２を孔部一端に接触又は近接させて第２下搬送ガイド８６のガイド離隔方向への回転を停止させ、当該第２下搬送ガイド８６を、その前端部を引き下げて内面を前斜め上側に向けるように傾斜させる。
【０４０１】
そして第２ソレノイド９３は、ユニット筐体１２から第２装着フレーム２１と共に第１装着フレーム１７が引き出されている間は、電力の供給が停止していることにより動作を停止させた状態になり、出力軸９３Ｂを動作停止時の規定長さまで縮めたままにする。
【０４０２】
よって第２ソレノイド９３は、ユニット筐体１２から第２装着フレーム２１と共に第１装着フレーム１７が引き出されている間は、第２下搬送ガイド８６を、その前端部を引き下げるようにして傾斜させている。
【０４０３】
このようにして第２下搬送ガイド８６は、搬送直交方向と平行な第２回動軸９０を中心にして、内面を第２上搬送ガイド８７の内面と所定の間隙を介して平行にして前端部を開口部８５ＡＸから預払機前方向へ突出させた位置から、当該内面を第２上搬送ガイド８７の内面から引き離すようにして前斜め上側に向ける位置までの所定の範囲でガイド離隔方向及びガイド嵌合方向へ回動することができる。
【０４０４】
因みに、第２下搬送ガイド８６が内面を第２上搬送ガイド８７の内面と平行にして前端部を開口部８５ＡＸから預払機前方向へ突出させる位置は、後述するように当該第２下搬送ガイド８６が第２上搬送ガイド８７の間に第２紙幣搬送路７２Ａを形成して、前端部を第１下搬送ガイド７６の後端部と嵌合させるための位置である。
【０４０５】
従って、以下の説明では、第２下搬送ガイド８６が内面を第２上搬送ガイド８７の内面と平行にして前端部を開口部８５ＡＸから預払機前方向へ突出させる位置を、第２ガイド嵌合位置とも呼ぶ。
【０４０６】
そして、以下の説明では、第２下搬送ガイド８６が内面を第２上搬送ガイド８７の内面と平行にして前端部を開口部８５ＡＸから預払機前方向へ突出させるときの当該第２下搬送ガイド８６の姿勢を、第２ガイド嵌合姿勢とも呼ぶ。
【０４０７】
また第２下搬送ガイド８６が内面を第２上搬送ガイド８７の内面から引き離すようにして前斜め上側に向ける位置は、後述するように当該第２下搬送ガイド８６が前端部を第１下搬送ガイド７６の外面側へ変位させて当該第１下搬送ガイド７６の後端部から離隔させる位置である。
【０４０８】
従って、以下の説明では、第２下搬送ガイド８６が内面を第２上搬送ガイド８７の内面から引き離すようにして前斜め上側に向ける位置を、第２ガイド離隔位置とも呼ぶ。
【０４０９】
そして、以下の説明では、第２下搬送ガイド８６が内面を第２上搬送ガイド８７の内面から引き離すようにして前斜め上側に向けるときの当該第２下搬送ガイド８６の姿勢を、第２ガイド離隔姿勢とも呼ぶ。
【０４１０】
ところで、第２下搬送ガイド８６は、第２ガイド嵌合位置へ変位した場合の開口部８５ＡＸからの前端部の突出長さが、当該前端部の複数の凸部８６Ａの先端の位置を第２上搬送ガイド８７の複数の凸部８７Ａの先端の位置から搬送方向にずらすように、開口部８５ＡＸからの第２上搬送ガイド８７の前端部の突出長さよりも長い所定長さに選定されている。
【０４１１】
これにより第２下搬送ガイド８６は、第２ガイド嵌合位置へ変位した場合、上述した第１の実施の形態の場合と同様に、前端部において少なくとも複数の凸部８６Ａを、第２上搬送ガイド８７の前端部の複数の凸部８７Ａよりも第１搬送部７１側（すなわち、前側）に位置させている。
【０４１２】
そして第２下搬送ガイド８６及び第２上搬送ガイド８７は、それぞれ横幅（すなわち、預払機左右方向の長さ）が、上述した第１の実施の形態による第２下搬送ガイド４６及び第２上搬送ガイド４７と同様に、第２搬送フレーム８５の左側板の内面から右側板の内面までの長さよりも僅かに短いものの、紙幣の長辺の長さ以上の所定長さに選定されている。
【０４１３】
よって第２上搬送ガイド８７は、左側面及び右側面を預払機前後方向と平行にして、第２搬送フレーム８５の左側板の内面及び右側板の内面に近接させている。
【０４１４】
また第２下搬送ガイド８６は、左側面及び右側面を預払機前後方向と平行にして、第２ガイド嵌合位置へ変位した場合には当該左側面及び右側面を第２搬送フレーム８５の左側板の内面及び右側板の内面に近接させている。
【０４１５】
さらに第２下搬送ガイド８６が第２ガイド嵌合位置へ変位した場合の当該第２下搬送ガイド８６の内面と第２上搬送ガイド８７の内面との間隙は、上述した第１下搬送ガイド７６の内面と第１上搬送ガイド７７の内面との間隙と等しく選定されている。
【０４１６】
これにより第２搬送部７２は、第２下搬送ガイド８６が第２ガイド嵌合位置へ変位した場合、第２下搬送ガイド８６及び第２上搬送ガイド８７の間に、紙幣を預払機前後方向へ搬送するための（すなわち、搬送用に通すための）第２紙幣搬送路７２Ａを形成している。
【０４１７】
因みに、第２搬送部７２の第２搬送フレーム８５内には、第２下搬送ガイド８６の後にも搬送ガイド９５が配置されている。
【０４１８】
係る搬送ガイド９５は、預払機前後方向の長さが所定長さに選定され、前端に例えば、第２下搬送ガイド８６の後端部の複数の凸部８６Ｃの幅と等しい幅を有する複数の凸部９５Ａが、当該第２下搬送ガイド８６の後端部の複数の凸部８６Ｃの間の複数の凹部８６Ｄに対応させて所定の等間隔で設けられている。
【０４１９】
さらに搬送ガイド９５は、例えば、前端部の複数の凸部９５Ａに、円形の軸挿入孔部が預払機左方向に沿って順に穿設されている。
【０４２０】
そして搬送ガイド９５は、その内面を第２上搬送ガイド８７の内面と平行にして前端部の複数の凸部９５Ａの軸挿入孔部に第２回動軸９０が挿入された状態で、これら複数の凸部９５Ａ、及び当該複数の凸部９５Ａの間の複数の凹部９５Ｂを、第２下搬送ガイド８６の後端部の複数の凹部８６Ｄ及び複数の凸部８６Ｃと嵌合させている。
【０４２１】
これにより搬送ガイド９５は、その内面と第２上搬送ガイド８７の内面との間隙を、第２下搬送ガイド８６が第２ガイド嵌合位置へ変位した場合の当該第２下搬送ガイド８６の内面と第２上搬送ガイド８７の内面との間隙と等しくして、当該第２上搬送ガイド８７との間に第２紙幣搬送路７２Ａを形成している。
【０４２２】
よって第２下搬送ガイド８６は、第２ガイド嵌合位置へ変位した場合、その内面を搬送ガイド９５の内面と面一にして、搬送ガイド９５と第２上搬送ガイド８７との間に形成されている第２紙幣搬送路７２Ａを、当該第２下搬送ガイド８６と第２上搬送ガイド８７との間まで延長させている。
【０４２３】
ここで、図１７及び図１８（Ａ）乃至（Ｃ）に示すように、第１搬送部７１は、ユニット筐体１２に第１装着フレーム１７及び第２装着フレーム２１が収納されている間は、搬送路接続位置で上述したように第１上搬送ガイド７７を第１ガイド嵌合位置に変位させている。
【０４２４】
これにより第１搬送部７１は、第１上搬送ガイド７７の後端部の複数の凸部７７Ａを第２上搬送ガイド８７の対応する凹部８７Ｂに差し込むと共に、当該第１上搬送ガイド７７の後端部の複数の凹部７７Ｂに第２上搬送ガイド８７の対応する凸部８７Ａを入り込ませる。
【０４２５】
また第２搬送部７２は、この際、上述したように第２下搬送ガイド８６を第２ガイド嵌合位置に変位させている。
【０４２６】
よって第２搬送部７２は、第２下搬送ガイド８６の前端部の複数の凸部８６Ａを第１下搬送ガイド７６の対応する凹部７６Ｂに差し込むと共に、当該第２下搬送ガイド８６の前端部の複数の凹部８６Ｂに第１下搬送ガイド７６の対応する凸部７６Ａを入り込ませる。
【０４２７】
このようにして第１搬送部７１及び第２搬送部７２は、ユニット筐体１２に第１装着フレーム１７及び第２装着フレーム２１が収納されている間、第１下搬送ガイド７６の後端部及び第１上搬送ガイド７７の後端部と第２下搬送ガイド８６の前端部及び第２上搬送ガイド８７の前端部とを嵌合させて、第１紙幣搬送路７１Ａを第２紙幣搬送路７２Ａと接続している。
【０４２８】
そして第１搬送部７１は、第１紙幣搬送路７１Ａを第２紙幣搬送路７２Ａと接続している場合、上述のように第１上搬送ガイド７７の後端の複数の凸部７７Ａを、第１下搬送ガイド７６の複数の凸部７６Ａよりも第２搬送部７２側に位置させている。
【０４２９】
また第２搬送部７２は、第２下搬送ガイド８６の複数の凸部８６Ａを、第２上搬送ガイド８７の複数の凸部８７Ａよりも第１搬送部７１側に位置させている。
【０４３０】
これにより第１搬送部７１及び第２搬送部７２は、第１紙幣搬送路７１Ａを第２紙幣搬送路７２Ａと接続している場合、上述した第１の実施の形態の場合と同様に、第１下搬送ガイド７６の後端部が第２上搬送ガイド８７の前端部の真下にかからないようにしている。
【０４３１】
そして第１搬送部７１は、ユニット筐体１２から第２装着フレーム２１と共に第１装着フレーム１７が引き出されたときには、上述したように第１上搬送ガイド７７を、搬送直交方向と平行な第１回動軸５４を中心にしてガイド離隔方向へ回転させて第１ガイド嵌合位置から第１ガイド離隔位置へ変位させる。
【０４３２】
これにより第１搬送部７１は、第１上搬送ガイド７７の後端部の複数の凸部７７Ａを第２上搬送ガイド８７の対応する凹部８７Ｂからほぼ真上へ引き抜くようにして、当該第１上搬送ガイド７７の後端部を第２上搬送ガイド８７の前端部から離隔させる。
【０４３３】
また第２搬送部７２は、この際、上述したように第２下搬送ガイド８６を、搬送直交方向と平行な第２回動軸９０を中心にしてガイド離隔方向へ回転させて第２ガイド嵌合位置から第２ガイド離隔位置へ変位させる。
【０４３４】
よって第２搬送部７２は、第２下搬送ガイド８６の前端部の複数の凸部８６Ａを第１下搬送ガイド７６の対応する凹部７６Ｂからほぼ真下へ引き抜くようにして、当該第２下搬送ガイド８６の前端部を第１下搬送ガイド７６の後端部から離隔させる。
【０４３５】
このようにして第１搬送部７１及び第２搬送部７２は、ユニット筐体１２から第２装着フレーム２１と共に第１装着フレーム１７を引き出させるだけで、第１上搬送ガイド７７の姿勢を第１ガイド嵌合姿勢から第１ガイド離隔姿勢へ変化させると共に、第２下搬送ガイド８６の姿勢を第２ガイド嵌合姿勢から第２ガイド離隔姿勢へ変化させて、第２紙幣搬送路７２Ａから第１紙幣搬送路７１Ａを切り離すことができる。
【０４３６】
そして第１搬送部７１及び第２搬送部７２は、ユニット筐体１２からの第１装着フレーム１７及び第２装着フレーム２１の引き出しに応じて第２紙幣搬送路７２Ａから第１紙幣搬送路７１Ａを切り離した場合も、上述のように第１下搬送ガイド７６の後端部を第２上搬送ガイド８７の前端部の真下にかからないように、その前端部から離している。
【０４３７】
よって第１搬送部７１は、ユニット筐体１２から第１装着フレーム１７及び第２装着フレーム２１が引き出された場合、その第２装着フレーム２１を後側にさらに移動させることなく、搬送方向と平行な回動軸３８Ａを中心にして搬送路接続位置から待避方向へ回転させることができる。
【０４３８】
すなわち、第１搬送部７１は、ユニット筐体１２から第１装着フレーム１７及び第２装着フレーム２１が引き出され、引き続き左端部が持ち上げられると、第１下搬送ガイド７６の複数の凸部７６Ａを第２上搬送ガイド８７の複数の凸部８７Ａに何ら接触させずに待避位置まで回転することができる。
【０４３９】
また第１搬送部７１は、待避位置で左端部が引き下げられると、第１下搬送ガイド７６の複数の凸部７６Ａを第２上搬送ガイド８７の複数の凸部８７Ａに何ら接触させずに搬送路接続位置まで回転することができる。
【０４４０】
そして第１搬送部７１は、搬送路接続位置へ変位しても、ユニット筐体１２から第１装着フレーム１７及び第２装着フレーム２１が引き出されている間は、上述したように第１上搬送ガイド７７を第１ガイド離隔姿勢にして、当該第１上搬送ガイド７７の後端部を第２上搬送ガイド８７の前端部から離隔させている。
【０４４１】
また第２搬送部７２は、この際、上述したように第２下搬送ガイド８６を第２ガイド離隔姿勢にして、当該第２下搬送ガイド８６の前端部を第１下搬送ガイド７６の後端部から離隔させている。
【０４４２】
ただし、第１搬送部７１は、ユニット筐体１２に第１装着フレーム１７及び第２装着フレーム２１が収納されると、上述したように第１上搬送ガイド７７をガイド嵌合方向へ回転させて第１ガイド嵌合位置へ変位させることにより、当該第１上搬送ガイド７７の後端部を第２上搬送ガイド８７の前端部と嵌合させる。
【０４４３】
また第２搬送部７２は、この際、上述したように第２下搬送ガイド８６をガイド嵌合方向へ回転させて第２ガイド嵌合位置へ変位させることにより、当該第２下搬送ガイド８６の前端部を第１下搬送ガイド７６の後端部と嵌合させる。
【０４４４】
よって第１搬送部７１及び第２搬送部７２は、ユニット筐体１２に第１装着フレーム１７及び第２装着フレーム２１が収納されると、第１上搬送ガイド７７の姿勢を第１ガイド離隔姿勢から第１ガイド嵌合姿勢へ変化させると共に、第２下搬送ガイド８６の姿勢を第２ガイド離隔姿勢から第２ガイド嵌合姿勢へ変化させて、第１紙幣搬送路７１Ａを第２紙幣搬送路７２Ａと再び接続することができる。
【０４４５】
（２−４）第２の実施の形態の動作及び効果
以上の構成において、現金自動預払機７０では、複数の紙幣収納庫１８乃至２０が着脱可能に装着される第１装着フレーム１７の上端に第１搬送部７１を、その第１搬送フレーム７５のフレーム下面７５Ａの右縁部と対向する搬送方向と平行な回動軸３８Ａを中心にして回動可能に設けるようにした。
【０４４６】
そして現金自動預払機７０では、第１搬送部７１の第１搬送フレーム７５に、第１紙幣搬送路７１Ａを形成して第２紙幣搬送路７２Ａと接続するための第１下搬送ガイド７６を後端部の複数の凸部７６Ａを後開放端から突出させて固設すると共に、第１上搬送ガイド７７を後端部の複数の凸部７７Ａを後開放端から突出させた状態で、搬送垂直方向と平行な第１回動軸５４を中心にして回動可能に設けるようにした。
【０４４７】
ただし、現金自動預払機７０では、第１搬送部７１において第１上搬送ガイド７７を、第１下搬送ガイド７６と平行にする第１ガイド嵌合位置へ変位させた場合、当該第１上搬送ガイド７７の複数の凸部７７Ａを、第１下搬送ガイド７６の複数の凸部７６Ａよりも第２搬送部７２側にずらして位置させるようにした。
【０４４８】
また現金自動預払機７０では、第１装着フレーム１７の後側に補充回収庫２２が着脱可能に装着される第２装着フレーム２１を配置すると共に、当該第２装着フレーム２１の前端に第２搬送部７２を、その第２搬送フレーム８５のフレーム前面８５Ａの開口部８５ＡＸを第１搬送部７１が搬送路接続位置に位置する場合に第１搬送フレーム７５の後開放端と対向するように設けるようにした。
【０４４９】
そして現金自動預払機７０では、第２搬送部７２の第２搬送フレーム８５に、第２紙幣搬送路７２Ａを形成して第１紙幣搬送路７１Ａと接続するための第２上搬送ガイド８７を前端部の複数の凸部８７Ａを開口部８５ＡＸから突出させて固設すると共に、第２下搬送ガイド８６を前端部の複数の凸部８６Ａを開口部８５ＡＸから突出させた状態で、搬送垂直方向と平行な第２回動軸９０を中心にして回動可能に設けるようにした。
【０４５０】
ただし、現金自動預払機７０では、第２搬送部７２において第２下搬送ガイド８６を、第２上搬送ガイド８７と平行にする第２ガイド嵌合位置へ変位させた場合、当該第２下搬送ガイド８６の複数の凸部８６Ａを、第２上搬送ガイド８７の複数の凸部８７Ａよりも第１搬送部７１側にずらして位置させるようにした。
【０４５１】
そのうえで現金自動預払機７０は、ユニット筐体１２に第１装着フレーム１７及び第２装着フレーム２１を収納している場合、第１搬送部７１の第１上搬送ガイド７７を第１ガイド嵌合位置へ変位させて、当該第１上搬送ガイド７７の後端部を第２上搬送ガイド８７の前端部と嵌合させる。
【０４５２】
また現金自動預払機７０は、ユニット筐体１２に第１装着フレーム１７及び第２装着フレーム２１を収納している場合、第２搬送部７２の第２下搬送ガイド８６を第２ガイド嵌合位置へ変位させて、当該第２下搬送ガイド８６の前端部を第１下搬送ガイド７６の後端部と嵌合させる。
【０４５３】
このようにして現金自動預払機７０は、ユニット筐体１２に第１装着フレーム１７及び第２装着フレーム２１を収納している場合、第１下搬送ガイド７６の後端部を、第２上搬送ガイド８７の前端部から搬送方向へずらすようにして離した状態で第１紙幣搬送路７１Ａを第２紙幣搬送路７２Ａと接続する。
【０４５４】
そして現金自動預払機７０は、ユニット筐体１２から第１装着フレーム１７及び第２装着フレーム２１が引き出されたとき、第１搬送部７１の第１上搬送ガイド７７を、搬送直交方向と平行な第１回動軸５４を中心にガイド離隔方向へ回転させるようにして第２上搬送ガイド８７の外面側となる第１ガイド離隔位置へ変位させて、当該第１上搬送ガイド７７の後端部を第２上搬送ガイド８７の前端部から離隔させる。
【０４５５】
また現金自動預払機７０は、この際、第２搬送部７２の第２下搬送ガイド８６を、搬送直交方向と平行な第２回動軸９０を中心にガイド離隔方向へ回転させるようにして第１下搬送ガイド７６の外面側となる第２ガイド離隔位置へ変位させて、当該第２下搬送ガイド８６の前端部を第１下搬送ガイド７６の後端部から離隔させる。
【０４５６】
このようにして現金自動預払機７０は、ユニット筐体１２から第１装着フレーム１７及び第２装着フレーム２１が引き出されたときには、第１下搬送ガイド７６の後端部を、第２上搬送ガイド８７の前端部から搬送方向へずらすようにして離したままで、第２紙幣搬送路７２Ａから第１紙幣搬送路７１Ａを切り離すことができる。
【０４５７】
従って現金自動預払機７０は、第２紙幣搬送路７２Ａから第１紙幣搬送路７１Ａを切り離すために第１搬送部７１を、フレーム下面７５Ａの右縁部と対向する搬送方向と平行な回動軸３８Ａを中心にして待避方向へ回転させても、第２上搬送ガイド８７の複数の凸部８７Ａに第１下搬送ガイド７６の複数の凸部７６Ａが引っ掛かることを回避することができる。
【０４５８】
よって現金自動預払機７０は、上述した第１の実施の形態の場合と同様に、第１下搬送ガイド７６及び第１上搬送ガイド７７（すなわち、第１搬送部７１）を搬送路接続位置から的確に待避させることができる。
【０４５９】
そして現金自動預払機７０は、第２紙幣搬送路７２Ａから第１紙幣搬送路７１Ａを切り離す際、第１上搬送ガイド７７を、搬送直交方向と平行な第１回動軸５４を中心にしてガイド離隔方向へ回転させて当該第１上搬送ガイド７７の後端部を第２上搬送ガイド８７の前端部から離隔させるため、当該第１上搬送ガイド７７及び第２上搬送ガイド８７に複数の凸部７７Ａ、８７Ａを、嵌合時の隙間を格段的に狭くするようにして設けることができる。
【０４６０】
また現金自動預払機７０は、第２紙幣搬送路７２Ａから第１紙幣搬送路７１Ａを切り離す際、第２下搬送ガイド８６を、搬送直交方向と平行な第２回動軸９０を中心にしてガイド離隔方向へ回転させて当該第２下搬送ガイド８６の前端部を第１下搬送ガイド７６から離隔させるため、当該第２下搬送ガイド８６及び第１下搬送ガイド７６についても複数の凸部８６Ａ、７６Ａを、嵌合時の隙間を格段的に狭くするようにして設けることができる。
【０４６１】
従って現金自動預払機７０は、第１紙幣搬送路７１Ａ及び第２紙幣搬送路７２Ａを接続して紙幣を搬送する場合、これら第１紙幣搬送路７１Ａ及び第２紙幣搬送路７２Ａの接続部分で紙幣が詰まることを防止することができる。
【０４６２】
以上の構成によれば、現金自動預払機７０は、それぞれ後端部に複数の凸部７６Ａ、７７Ａが設けられ、第１紙幣搬送路７１Ａを形成する一対の第１下搬送ガイド７６及び第１上搬送ガイド７７を、当該第１下搬送ガイド７６の外面の右縁側に位置する搬送方向と平行な回動軸３８Ａを中心にして回動可能に設けると共に、それぞれ前端部に複数の凸部８６Ａ、８７Ａが設けられ、第２紙幣搬送路７２Ａを形成する一対の第２下搬送ガイド８６及び第２上搬送ガイド８７を設けるようにして、第１上搬送ガイド７７の複数の凸部７７Ａを第１下搬送ガイド７６の複数の凸部７６Ａよりも、第２下搬送ガイド８６及び第２上搬送ガイド８７へずらして位置させると共に、第２下搬送ガイド８６の複数の凸部８６Ａを第２上搬送ガイド８７の複数の凸部８７Ａよりも第１下搬送ガイド７６及び第１上搬送ガイド７７側へずらして位置させ、さらに第１上搬送ガイド７７を、搬送直交方向と平行な第１回動軸５４を中心して回動可能にし、第２下搬送ガイド８６を、搬送直交方向と平行な第２回動軸９０を中心して回動可能にするようにした。
【０４６３】
そして現金自動預払機７０は、第１下搬送ガイド７６及び第１上搬送ガイド７７を搬送路接続位置へ変位させた状態では、第１上搬送ガイド７７を、第１回動軸５４を中心にして第１ガイド嵌合位置へ変位させて第２上搬送ガイド８７と嵌合させ、かつ第２下搬送ガイド８６を、第２回動軸９０を中心にして第２ガイド嵌合位置へ変位させて、第１下搬送ガイド７６と嵌合させて第１紙幣搬送路７１Ａを第２紙幣搬送路７２Ａと接続し、また第１上搬送ガイド７７を、第１回動軸５４を中心にして第１ガイド離隔位置へ変位させて第２上搬送ガイド８７から離隔させ、かつ第２下搬送ガイド８６を、第２回動軸９０を中心にして第２ガイド離隔位置へ変位させて第１下搬送ガイド７６から離隔させて、第２紙幣搬送路７２Ａから第１紙幣搬送路７１Ａを取り離すようにした。
【０４６４】
これにより現金自動預払機７０は、上述した第１の実施の形態によって得られる効果と同様の効果を得ることができると共に、これに加えて第１上搬送ガイド７７及び第２上搬送ガイド８７に複数の凸部７７Ａ、８７Ａを、嵌合時の隙間を格段的に狭くするようにして設けることができると共に、第２下搬送ガイド８６及び第１下搬送ガイド７６についても複数の凸部８６Ａ、７６Ａを、嵌合時の隙間を格段的に狭くするようにして設けることができる。
【０４６５】
よって現金自動預払機７０は、第１下搬送ガイド７６及び第１上搬送ガイド７７を搬送路接続位置の脇へ待避可能に構成しても、第１紙幣搬送路７１Ａ及び第２紙幣搬送路７２Ａを接続して紙幣を搬送する場合には、これら第１紙幣搬送路７１Ａ及び第２紙幣搬送路７２Ａの接続部分で紙幣が詰まることを防止することができる。
【０４６６】
また現金自動預払機７０は、ユニット筐体１２に第１装着フレーム１７及び第２装着フレーム２１が収納されたとき、自動的に第１上搬送ガイド７７を第１ガイド嵌合位置へ変位させて第２上搬送ガイド８７と嵌合させ、かつ第２下搬送ガイド８６を第２ガイド嵌合位置へ変位させて第１下搬送ガイド７６と嵌合させて、第１紙幣搬送路７１Ａを第２紙幣搬送路７２Ａと接続するようにした。
【０４６７】
これに加えて現金自動預払機７０は、ユニット筐体１２から第１装着フレーム１７及び第２装着フレーム２１が引き出されたとき、自動的に第１上搬送ガイド７７を第１ガイド離隔位置へ変位させて第２上搬送ガイド８７から離隔させ、かつ第２下搬送ガイド８６を第２ガイド離隔位置へ変位させて第１下搬送ガイド７６から離隔させて、第２紙幣搬送路７２Ａから第１紙幣搬送路７１Ａを取り離すようにした。
【０４６８】
従って現金自動預払機７０は、第１紙幣搬送路７１Ａ及び第２紙幣搬送路７２Ａの接続及び切り離しのための特別な操作を何ら行わせることなく、第１紙幣搬送路７１Ａ及び第２紙幣搬送路７２Ａを接続し、また切り離すことができ、操作性を向上させることができる。
【０４６９】
（３）他の実施の形態
（３−１）他の実施の形態１
なお上述した第１の実施の形態においては、第１搬送部２８において第１下搬送ガイド３６及び第１上搬送ガイド３７の複数の凸部３６Ａ、３７Ａの幅及び間隔を個別に選定すると共に、第２搬送部２９において第２下搬送ガイド４６及び第２上搬送ガイド４７の複数の凸部４６Ａ、４７Ａの幅及び間隔を個別に選定するようにした場合について述べた。
【０４７０】
しかしながら本発明は、これに限らず、例えば、図７との対応部分に同一符号を付した図１９に示すように、第１搬送部１００において第１下搬送ガイド１０１及び第１上搬送ガイド１０２の複数の凸部１０１Ａ、１０２Ａの幅をそれぞれ等しい所定の幅に選定すると共に、これら複数の凸部１０１Ａ、１０２Ａの間隔を、当該凸部１０１Ａ、１０２Ａの幅よりも広い所定の等間隔に選定するようにしても良い。
【０４７１】
また本発明は、図８との対応部分に同一符号を付した図２０に示すように、第２搬送部１０５において第２下搬送ガイド１０６及び第２上搬送ガイド１０７の複数の凸部１０６Ａ、１０７Ａの幅をそれぞれ等しい所定の幅に選定すると共に、これら複数の凸部１０６Ａ、１０７Ａの間隔を、当該凸部１０６Ａ、１０７Ａの幅よりも広い所定の等間隔に選定するようにしても良い。
【０４７２】
そして本発明は、図１１との対応部分に同一符号を付した図２１に示すように、第１下搬送ガイド１０１の複数の凸部１０１Ａの少なくとも一部の凸部１０１ＡＸにおいて、第１下搬送ガイド１０１及び第１上搬送ガイド１０２の待避方向への回転時に第２下搬送ガイド１０６の対応する凸部１０６ＡＸ側となる右下隅部分を、当該第１下搬送ガイド１０１及び第１上搬送ガイド１０２の待避方向への回転時に、その第２下搬送ガイド１０６の対応する凸部１０６ＡＸが接触しないように切り欠くようにしても良い。
【０４７３】
また本発明は、第２上搬送ガイド１０７の複数の凸部１０７Ａの少なくとも一部の凸部１０７ＡＸ、１０７ＡＹにおいて、第１上搬送ガイド１０２の対応する凸部１０２ＡＸ、１０２ＡＹの移動軌跡側となる左上隅部分を、第１下搬送ガイド１０１及び第１上搬送ガイド１０２の待避方向への回転時に、その第１上搬送ガイド１０２の対応する凸部１０２ＡＸ、１０２ＡＹが接触しないように切り欠くようにしても良い。
【０４７４】
本発明は、係る構成によっても、上述した第１の実施の形態の場合と同様に、第１下搬送ガイド１０１及び第１上搬送ガイド１０２において、当該第１下搬送ガイド１０１及び第２上搬送ガイド１０７の凸部１０１ＡＸ、１０７ＡＸ、１０７ＡＹの切欠部を利用して、複数の凸部１０１ＡＸ、１０１Ａ、１０２ＡＸ、１０２ＡＹ、１０２Ａの幅を極力広げ、また間隔を極力狭めることができる。
【０４７５】
また本発明は、第２下搬送ガイド１０６及び第２上搬送ガイド１０７においても、当該第１下搬送ガイド１０１及び第２上搬送ガイド１０７の凸部１０１ＡＸ、１０７ＡＸ、１０７ＡＹの切欠部を利用して、複数の凸部１０６ＡＸ、１０６Ａ、１０７ＡＸ、１０７ＡＹ、１０７Ａの幅を極力広げ、また間隔を極力狭めることができる。
【０４７６】
（３−２）他の実施の形態２
さらに上述した第２の実施の形態においては、第１搬送部７１に第１ソレノイド８２を設けると共に、第２搬送部７２に第２ソレノイド９３を設け、ユニット筐体１２に対する第１装着フレーム１７及び第２装着フレーム２１の引出及び収納に応じて、第１ソレノイド８２及び第２ソレノイド９３を介して第１上搬送ガイド７７及び第２下搬送ガイド８６を回動させるようにした場合について述べた。
【０４７７】
しかしながら本発明は、これに限らず、例えば、第１搬送部７１に第１上搬送ガイド７７を手動で回動させるためのレバー及びワイヤ等を設けると共に、第２搬送部７２に第２下搬送ガイド８６を手動で回動させるためのレバー及びワイヤ等を設け、ユニット筐体１２から第１装着フレーム１７及び第２装着フレーム２１を引き出した状態で、これらレバーを操作させて第１上搬送ガイド７７及び第２下搬送ガイド８６を回動させるようにしても良い。
【０４７８】
（３−３）他の実施の形態３
また上述した第１及び第２の実施の形態においては、第１搬送部２８、７１に硬質な第１下搬送ガイド３６、７６及び第１上搬送ガイド３７、７７を配置すると共に、第２搬送部２９、７２にも硬質な第２下搬送ガイド４６、８６及び第２上搬送ガイド４７、８７を配置するようにした場合について述べた。
【０４７９】
しかしながら本発明は、これに限らず、第１搬送部２８、７１に、硬質な樹脂又は金属の板状の本体部分に、ポリスライダ（登録商標）のような摩擦係数が比較的小さく、かつ軟質な樹脂によって形成された複数の凸部が設けられた第１下搬送ガイド及び第１上搬送ガイドを配置すると共に、第２搬送部２９、７２にも、硬質な樹脂又は金属の板状の本体部分に、ポリスライダ（登録商標）のような摩擦係数が比較的小さく、かつ軟質な樹脂によって形成された複数の凸部が設けられた第２下搬送ガイド及び第２上搬送ガイドを配置するようにしても良い。
【０４８０】
なお、本発明は、第１下搬送ガイド及び第１上搬送ガイド並びに第２下搬送ガイド及び第２上搬送ガイド各々の複数の凸部を、摩擦係数が比較的小さく、かつ軟質な樹脂によって形成するようにしても良い。
【０４８１】
また本発明は、第１下搬送ガイド及び第１上搬送ガイド並びに第２下搬送ガイド及び第２上搬送ガイド各々の複数の凸部を、硬質な樹脂又は金属の芯に摩擦係数が比較的小さく、かつ軟質な樹脂によって形成されたカバーを被せるようにして形成するようにしても良い。
【０４８２】
また本発明は、第１下搬送ガイド及び第１上搬送ガイド並びに第２下搬送ガイド及び第２上搬送ガイド各々の複数の凸部を、ゴムやばねのような弾性を有する芯に摩擦係数が比較的小さく、かつ軟質な樹脂によって形成されたカバーを被せるようにして形成するようにしても良い。
【０４８３】
本発明は、係る構成によれば、第１上搬送ガイド及び第２上搬送ガイドに複数の凸部を、嵌合時の隙間を格段的に狭くするようにして設けることができると共に、第２下搬送ガイド及び第１下搬送ガイドについても複数の凸部を、嵌合時の隙間を格段的に狭くするようにして設けることができる。
【０４８４】
（３−４）他の実施の形態４
さらに上述した第１及び第２の実施の形態においては、第１搬送部２８、７１及び第２搬送部２９、７２により長方形の紙幣を、一方の長辺を搬送方向に向けた搬送姿勢で搬送するようにした場合について述べた。
【０４８５】
しかしながら本発明は、これに限らず、第１搬送部２８、７１及び第２搬送部２９、７２により長方形の紙幣を、一方の短辺を搬送方向に向けた搬送姿勢で搬送するようにしても良い。
【０４８６】
（３−５）他の実施の形態５
さらに上述した第１及び第２の実施の形態においては、本発明による紙葉類搬送装置を、図１乃至図２１について上述した第１搬送部２８、７１、１００及び第２搬送部２９、７２、１０５に適用するようにした場合について述べた。
【０４８７】
しかしながら本発明は、これに限らず、現金自動支払機（CD：Cash  Dispenser）や有価証券取扱機、両替機、電車の切符や観劇のチケット等を販売する券売機、精算機、自動販売機、パチンコ台やスロット台のような遊戯機、コピー機、葉書搬送装置等に設けられ、紙幣や有価証券、切符、チケット、コピー用紙、葉書等の紙葉類を前方向、後方向、上方向、下方向、左方向、右方向等の一方向や、前後方向、上下方向、左右方向等の双方向のように種々の搬送方向へ搬送する搬送部等のように、この他種々の構成の紙葉類搬送装置に広く適用することができる。
【０４８８】
（３−６）他の実施の形態６
さらに上述した第１及び第２の実施の形態においては、本発明による紙葉類取扱装置を、図１乃至図２１について上述した現金自動預払機１、７０に適用するようにした場合について述べた。
【０４８９】
しかしながら本発明は、これに限らず、紙幣や有価証券、切符、チケット、コピー用紙、葉書等の紙葉類を取り扱う現金自動支払機や有価証券取扱機、両替機、券売機、精算機、自動販売機、遊戯機、コピー機、葉書搬送装置等のように、この他種々の構成の紙葉類取扱装置に広く適用することができる。
【０４９０】
（３−７）他の実施の形態７
さらに上述した第１及び第２の実施の形態においては、所定の搬送方向へ搬送する紙葉類として、図１乃至図２１について上述した紙幣を適用するようにした場合について述べた。
【０４９１】
しかしながら本発明は、これに限らず、前方向、後方向、上方向、下方向、左方向、右方向等の一方向や、前後方向、上下方向、左右方向等の双方向のように種々の搬送方向へ搬送する紙幣や有価証券、切符、チケット、コピー用紙、葉書等のように、この他種々の紙葉類を広く適用することができる。
【０４９２】
（３−８）他の実施の形態８
さらに上述した第１及び第２の実施の形態においては、それぞれ一端部が複数の凸部を所定の間隔で設けるようにして櫛歯状に形成され、紙葉類を所定の搬送方向へ搬送するための第１搬送路を形成する一対の第１搬送ガイドとして、図１乃至図２１について上述した第１下搬送ガイド３６、７６、１０１及び第１上搬送ガイド３７、７７、１０２を適用するようにした場合について述べた。
【０４９３】
しかしながら本発明は、これに限らず、搬送対象の紙葉類の大きさ及び搬送姿勢に応じた幅を有する一対の第１搬送ガイドや、紙葉類の搬送方向に応じて上下方向と平行に前後に配置される一対の第１搬送ガイド、左側板及び右側板のみからなる第１搬送フレームに保持される一対の第１搬送ガイド等のように、この他種々の構成の一対の第１搬送ガイドを広く適用することができる。
【０４９４】
（３−９）他の実施の形態９
さらに上述した第１及び第２の実施の形態においては、それぞれ一端部が複数の凸部を所定の間隔で設けるようにして櫛歯状に形成され、紙葉類を搬送方向へ搬送するための第２搬送路を形成する一対の第２搬送ガイドとして、図１乃至図２１について上述した第２下搬送ガイド４６、８６、１０６及び第２上搬送ガイド４７、８７、１０７を適用するようにした場合について述べた。
【０４９５】
しかしながら本発明は、これに限らず、搬送対象の紙葉類の大きさ及び搬送姿勢に応じた幅を有する一対の第２搬送ガイドや、紙葉類の搬送方向に応じて上下方向と平行に前後に配置される一対の第２搬送ガイド、左側板及び右側板のみからなる第２搬送フレームに保持される一対の第２搬送ガイド等のように、この他種々の構成の一対の第２搬送ガイドを広く適用することができる。
【０４９６】
（３−１０）他の実施の形態１０
さらに上述した第１及び第２の実施の形態においては、一対の第１搬送ガイドを回転させるための搬送方向と平行な回動軸として、図１乃至図２１について上述した、第１搬送部２８のフレーム下面３５Ａの右縁部と対向する（すなわち、第１下搬送ガイド３６、７６、１０１の外面の斜め下に位置する）搬送方向と平行な回動軸３８Ａを適用するようにした場合について述べた。
【０４９７】
しかしながら本発明は、これに限らず、第１下搬送ガイド及び第１上搬送ガイドの一方の側面側に位置する搬送方向と平行な回動軸や、第１下搬送ガイドの外面側に位置する搬送方向と平行な回動軸等のように、この他種々の回動軸を広く適用することができる。
【０４９８】
（３−１１）他の実施の形態１１
さらに上述した第１及び第２の実施の形態においては、他方の第１搬送ガイドを第１ガイド嵌合位置から第１ガイド離隔位置、及び第１ガイド離隔位置から第１ガイド嵌合位置へ回転させる第１回転部として、図１乃至図２１について上述した軸支持部８０、係合軸８１及び第１ソレノイド８２を適用するようにした場合について述べた。
【０４９９】
しかしながら本発明は、これに限らず、第１上搬送ガイドの外面に設けられたワイヤ係止部と、第１搬送フレームに設けられた手動操作用のレバーと、当該レバーとワイヤ係止部とを接続するワイヤ等とからなる第１回転部のように、この他種々の構成の第１回転部を広く適用することができる。
【０５００】
（３−１２）他の実施の形態１２
さらに上述した第１及び第２の実施の形態においては、一方の第２搬送ガイドを第２ガイド嵌合位置から第２ガイド離隔位置、及び第２ガイド離隔位置から第２ガイド嵌合位置へ回転させる第２回転部として、図１乃至図２１について上述した軸支持部９１、係合軸９２及び第２ソレノイド９３を適用するようにした場合について述べた。
【０５０１】
しかしながら本発明は、これに限らず、第２下搬送ガイドの外面に設けられたワイヤ係止部と、第２搬送フレームに設けられた手動操作用のレバーと、当該レバーとワイヤ係止部とを接続するワイヤ等とからなる第２回転部のように、この他種々の構成の第２回転部を広く適用することができる。
【産業上の利用可能性】
【０５０２】
本発明は、紙幣や有価証券、切符、チケット、コピー用紙、葉書等の紙葉類を搬送する紙葉類搬送装置と、当該紙幣や有価証券、切符、チケット、コピー用紙、葉書等の紙葉類を搬送するようにして取り扱う現金自動預払機や現金自動支払機、有価証券取扱機、両替機、券売機、精算機、自動販売機、遊戯機、コピー機、葉書搬送装置等の紙葉類取扱装置とに利用することができる。
【符号の説明】
【０５０３】
１、７０……現金自動預払機、１０……制御部、２８、７１、１００……第１搬送部、２８Ａ、７１Ａ……第１紙幣搬送路、２９、７２、１０５……第２搬送部、２９Ａ、７２Ａ……第２紙幣搬送路、３５……第１搬送フレーム、３６、７６、１０１……第１下搬送ガイド、３６Ａ、３７Ａ、３７ＡＸ、４６Ａ、４７Ａ、４７ＡＸ、７６Ａ、７７Ａ、８６Ａ、８７Ａ、１０１Ａ、１０１ＡＸ、１０２Ａ、１０２ＡＸ、１０２ＡＹ、１０６Ａ、１０６ＡＸ、１０７Ａ、１０７ＡＸ、１０７ＡＹ……凸部、３６Ｂ、３７Ｂ、４６Ｂ、４７Ｂ、７６Ｂ、７７Ｂ、８６Ｂ、８７Ｂ……凹部、３７、７７、１０２……第１上搬送ガイド、３８Ａ……回動軸、５４……第１回動軸、９０……第２回動軸、４５……第２搬送フレーム、４６、８６、１０６……第２下搬送ガイド、４７、８７、１０７……第２上搬送ガイド、５０……検出部、８０、９１……軸支持部、８１、９２……係合軸、８２……第１ソレノイド、９３……第２ソレノイド。
【図１】
2014102593.tif 000003
【図２】
2014102593.tif 000004
【図３】
2014102593.tif 000005
【図４】
2014102593.tif 000006
【図５】
2014102593.tif 000007
【図６】
2014102593.tif 000008
【図７】
2014102593.tif 000009
【図８】
2014102593.tif 000010
【図９】
2014102593.tif 000011
【図１０】
2014102593.tif 000012
【図１１】
2014102593.tif 000013
【図１２】
2014102593.tif 000014
【図１３】
2014102593.tif 000015
【図１４】
2014102593.tif 000016
【図１５】
2014102593.tif 000017
【図１６】
2014102593.tif 000018
【図１７】
2014102593.tif 000019
【図１８】
2014102593.tif 000020
【図１９】
2014102593.tif 000021
【図２０】
2014102593.tif 000022
【図２１】
2014102593.tif 000023
【図２２】
2014102593.tif 000024
【図２３】
2014102593.tif 000025
【図２４】
2014102593.tif 000026
【図２５】
2014102593.tif 000027
【図２６】
2014102593.tif 000028
【図２７】
2014102593.tif 000029